(57)【特許請求の範囲】
【請求項１】
マルチキャストグループのメンバーであるワイヤレスデバイスを動作させる方法であって、
第１のトラフィック間隔中送信しない意図を示すマルチキャストグループの他のメンバーからの信号を監視することと、
送信しない意図を示す信号がそこから受信されなかった前記マルチキャストグループの他のメンバーに対する前記ワイヤレスデバイスの優先度レベルに基づいて、前記第１のトラフィック間隔に関する送信決定を行うことと、
前記ワイヤレスデバイスが第２のトラフィック間隔中前記マルチキャストグループに送信するデータを有していない場合、前記第２のトラフィック間隔内で送信しない意図を示す信号を送信することと
を備える、方法。
【請求項２】
送信決定を行うことが、
前記監視が送信しない意図を示す信号を検出しなかった前記マルチキャストグループ内のデバイスの前記優先度レベルよりも、前記ワイヤレスデバイスの前記優先度レベルが高い場合、送信する決定を行うこと
を含む、請求項１に記載の方法。
【請求項３】
送信決定を行うことが、
前記監視が送信しない意図を示す信号を検出しなかった前記マルチキャストグループ内の別のデバイスの前記優先度レベルよりも、前記ワイヤレスデバイスの前記優先度レベルが低い場合、送信しない決定を行うこと
を含む、請求項１に記載の方法。
【請求項４】
前記ワイヤレスデバイスによって受信されたグループメンバーシップ情報信号に基づいて、グループメンバーのリストを保守することと、
トラフィック間隔の間、送信しない意図を示す信号がそこから受信された前記グループの前記メンバーを示す情報を記憶することと
をさらに備える、請求項１に記載の方法。
【請求項５】
前記ワイヤレスデバイスが送信するユニキャストトラフィックを有する場合、送信する意図を示すユニキャストインジケータ信号を送信すること
をさらに備える、請求項１に記載の方法。
【請求項６】
マルチキャストグループのメンバーであるワイヤレスデバイスであって、
第１のトラフィック間隔中送信しない意図を示すマルチキャストグループの他のメンバーからの信号を監視するための手段と、
送信しない意図を示す信号がそこから受信されなかった前記マルチキャストグループの他のメンバーに対する前記ワイヤレスデバイスの優先度レベルに基づいて、前記第１のトラフィック間隔に関する送信決定を行うための手段と、
前記ワイヤレスデバイスが第２のトラフィック間隔中前記マルチキャストグループに送信するデータを有していない場合、前記第２のトラフィック間隔内で送信しない意図を示す信号を送信するための手段と
を備える、ワイヤレスデバイス。
【請求項７】
送信決定を行うための前記手段が、
前記監視が送信しない意図を示す信号を検出しなかった前記マルチキャストグループ内のデバイスの前記優先度レベルよりも、前記ワイヤレスデバイスの前記優先度レベルが高い場合、送信する決定を行うための手段
を含む、請求項６に記載のワイヤレスデバイス。
【請求項８】
送信決定を行うための手段が、
前記監視が送信しない意図を示す信号を検出しなかった前記マルチキャストグループ内の別のデバイスの前記優先度レベルよりも、前記ワイヤレスデバイスの前記優先度レベルが低い場合、送信しない決定を行うための手段
を含む、請求項６に記載のワイヤレスデバイス。
【請求項９】
前記ワイヤレスデバイスによって受信されたグループメンバーシップ情報信号に基づいて、グループメンバーのリストを保守するための手段と、
トラフィック間隔の間、送信しない意図を示す信号がそこから受信された前記グループの前記メンバーを示す情報を記憶するための手段と
をさらに備える、請求項６に記載のワイヤレスデバイス。
【請求項１０】
前記ワイヤレスデバイスが送信するユニキャストトラフィックを有する場合、送信する意図を示すユニキャストインジケータ信号を送信するための手段
をさらに備える、請求項６に記載のワイヤレスデバイス。
【請求項１１】
マルチキャストグループのメンバーであるワイヤレスデバイス内で使用するためのコンピュータ可読記憶媒体であって、
少なくとも１つのコンピュータに、第１のトラフィック間隔中送信しない意図を示すマルチキャストグループの他のメンバーからの信号を監視させるためのコードと、
少なくとも１つのプロセッサに、送信しない意図を示す信号がそこから受信されなかった前記マルチキャストグループの他のメンバーに対する前記ワイヤレスデバイスの優先度レベルに基づいて、前記第１のトラフィック間隔に関する送信決定を行わせるためのコードと、
少なくとも１つの送信機に、前記ワイヤレスデバイスが第２のトラフィック間隔中前記マルチキャストグループに送信するデータを有していない場合、前記第２のトラフィック間隔内で送信しない意図を示す信号を送信させるためのコードと
を備える、コンピュータ可読記憶媒体。
【請求項１２】
前記コンピュータ可読記憶媒体が、
前記少なくとも１つのプロセッサに送信決定を行わせるための前記コードの一部として、前記少なくとも１つのプロセッサに、前記監視が送信しない意図を示す信号を検出しなかった前記マルチキャストグループ内のデバイスの前記優先度レベルよりも、前記ワイヤレスデバイスの前記優先度レベルが高い場合、送信する決定を行わせるためのコード
を備える、請求項１１に記載のコンピュータ可読記憶媒体。
【請求項１３】
マルチキャストグループのメンバーであるワイヤレスデバイスであって、
第１のトラフィック間隔中送信しない意図を示すマルチキャストグループの他のメンバーからの信号を監視することと、
送信しない意図を示す信号がそこから受信されなかった前記マルチキャストグループの他のメンバーに対する前記ワイヤレスデバイスの優先度レベルに基づいて、前記第１のトラフィック間隔に関する送信決定を行うことと、
前記ワイヤレスデバイスが第２のトラフィック間隔中前記マルチキャストグループに送信するデータを有していない場合、前記第２のトラフィック間隔内で送信しない意図を示す信号を送信することと
を行うように構成された少なくとも１つのプロセッサと、
前記少なくとも１つのプロセッサに結合されたメモリと
を備える、ワイヤレスデバイス。
【請求項１４】
前記少なくとも１つのプロセッサが、送信決定を行うように構成されたことの一部として、前記監視が送信しない意図を示す信号を検出しなかった前記マルチキャストグループ内のデバイスの前記優先度レベルよりも、前記ワイヤレスデバイスの前記優先度レベルが高い場合、送信する決定を行うように構成された、請求項１３に記載のワイヤレスデバイス。
【請求項１５】
前記少なくとも１つのプロセッサが、送信決定を行うように構成されたことの一部として、前記監視が送信しない意図を示す信号を検出しなかった前記マルチキャストグループ内の別のデバイスの前記優先度レベルよりも、前記ワイヤレスデバイスの前記優先度レベルが低い場合、送信しない決定を行うように構成された、請求項１３に記載のワイヤレスデバイス。
【請求項１６】
前記少なくとも１つのプロセッサが、
前記ワイヤレスデバイスによって受信されたグループメンバーシップ情報信号に基づいて、グループメンバーのリストを保守することと、
トラフィック間隔の間、送信しない意図を示す信号がそこから受信された前記グループの前記メンバーを示す情報を記憶することと
を行うようにさらに構成された、請求項１３に記載のワイヤレスデバイス。
【請求項１７】
前記少なくとも１つのプロセッサが、
前記ワイヤレスデバイスが送信するユニキャストトラフィックを有する場合、送信する意図を示すユニキャストインジケータ信号を送信すること
を行うようにさらに構成された、請求項１３に記載のワイヤレスデバイス。
【発明の詳細な説明】
【技術分野】
【０００１】
様々な実施形態は、トラフィックスケジューリングに関し、より詳細には、たとえばピアツーピアネットワーク内でマルチキャストグループのトラフィックを効率的にスケジューリングすることに関する。
【背景技術】
【０００２】
ネットワーク、たとえばピアツーピアネットワークまたは他のネットワークでは、１つのデバイスがその局所近傍内の複数のデバイスに同じ情報を送信することを望む場合がある状況が存在する可能性がある。そのような状況では、１つのデバイスが、複数のユニキャストのピアツーピア接続を介して同じ信号を繰り返すことよりもむしろ、複数のデバイスによって受信できるマルチキャストトラフィック信号を送信できれば、より効率的であろう。マルチキャストを実装する１つの簡単な手法は、マルチキャストグループ内にいる可能性があるピアツーピア接続の選択対象の各々に接続スケジューリングリソースを割り当て、次いでスケジューリングが決定された後、単一のマルチキャストトラフィック送信を行うことである。しかしながら、この手法によると、マルチキャストグループが多数のメンバーを含むか、または、トラフィック送信機会を競合する多数の異なるマルチキャストグループが存在する可能性がある状況の場合、接続スケジューリングリソースの使用量を高める結果になる。加えて、様々な時刻に、ユニキャストトラフィックを送信したいピアツーピア接続とマルチキャストトラフィックを送信したいマルチキャストグループとの間に様々な調整が存在する可能性がある。
【０００３】
上記に鑑みて、マルチキャスト接続スケジューリング用の新しくより効率的および／またはより柔軟な方法および装置が開発されれば有益であろう。
【発明の概要】
【０００４】
ワイヤレスネットワーク、たとえばピアツーピアネットワーク内でマルチキャストグループをサポートするための方法および装置が記載される。様々な記載された方法および装置は、トラフィックスケジューリングがユニキャストピアツーピア接続トラフィックとマルチキャストグループトラフィックの両方をサポートするように実装された実施形態に好適である。いくつかのそのような実施形態では、トラフィックスケジューリングは非集中的な分散型方式で実行される。様々な実施形態では、利用可能なトラフィックスケジューリングリソースは、ピアツーピア接続またはマルチキャストグループメンバーのいずれかに自分で割り当てることができる。様々な実施形態では、スケジューリング優先度、たとえば、トラフィックセグメントを競合する様々なピアツーピア接続および／または様々なマルチキャストグループに関するスケジューリング優先度と、グループ内でマルチキャストトラフィック送信機会を競合するマルチキャストグループの様々なメンバーに関するスケジューリング優先度の両方は、スケジューリングに使用されるリソースブロック内に割り当てられたリソースの位置に関連付けることができ、いくつかの実施形態では関連付けられる。マルチキャストに関係する本発明の方法および装置は、マルチキャストとユニキャストの両方をサポートするシステムでの使用に好適であるが、それらの方法および装置は、トラフィックリソースについてマルチキャスト通信がユニキャスト通信と競合しないシステムで使用することができる。
【０００５】
いくつかの実施形態では、ピアツーピア接続は、第１のサイズのリソースのセット、たとえば３つのＯＦＤＭトーンシンボルを割り当てられて、トラフィック間隔内でピアツーピアユニキャストトラフィックをスケジューリングするために使用される。いくつかのそのような実施形態では、マルチキャストグループのメンバーは、第１のサイズのリソースのセット、たとえば３つのＯＦＤＭトーンシンボルを割り当てられて、トラフィック間隔内でマルチキャストグループトラフィックをスケジューリングするために使用される。ピアツーピア接続の場合ピア接続ごとに、マルチキャストグループの場合デバイスごとにトラフィックスケジューリングリソースを割り当てるこの手法は、大きなサイズのマルチキャストグループ内で可能なピアツーピア接続の各々にリソースのセットが割り当てられる場合よりも、より効率的なスケジューリングリソースの使用を提供することに留意されたい。
【０００６】
必ずしもすべてではないがいくつかの実施形態では、割り当てられたトラフィック送信要求リソースのうちの少なくともいくつかは、少なくともいくつかの割り当てられたトラフィック送信要求リソースが、２つのピアデバイス間のピアツーピア接続に使用されているか、またはマルチキャストグループメンバーに使用されているかに応じて、異なる目的に使用される。一実施形態では、ピアツーピア接続に対応する第１のトラフィック送信要求ブロックのリソース内で通信される信号は、信号を送信するデバイスがユニキャストピアツーピアトラフィックを送信するつもりであることを示す信号を搬送し、マルチキャストグループのメンバーに対応する第１のトラフィック送信要求ブロックのリソース内で通信される信号は、信号を送信するデバイスがマルチキャストグループにマルチキャストトラフィックデータを送信するつもりではないことを示す信号を搬送する。いくつかのそのような実施形態では、第２のトラフィック送信要求ブロック内のリソースは、ユニキャストとマルチキャストの両方のシナリオで送信する意図または意思を示す信号を伝達する。いくつかのそのような実施形態では、トラフィック送信要求応答ブロック内のリソースは、ユニキャストとマルチキャストの両方のシナリオで意図された受信側デバイスから要求応答を搬送する。
【０００７】
様々な例示的な方法および装置は、ユニキャストとマルチキャストの混合に好適である。いくつかの実施形態では、ユニキャスト接続は、たとえば優先度に基づいて、トラフィック間隔内に送信する権利についてマルチキャストグループと競合する。様々な方法および装置は、マルチキャストがユニキャストと混合されたときでも、分散型の受信側譲歩および送信側譲歩の決定を容易にする。
【０００８】
いくつかの実施形態により、マルチキャストグループのメンバーであるワイヤレスデバイスを動作させる例示的な方法は、第１のトラフィック間隔中送信しない意図または意思を示すマルチキャストグループの他のメンバーからの信号を監視することと、送信しない意図または意思を示す信号がそこから受信されなかった前記マルチキャストグループの他のメンバーに対する前記ワイヤレスデバイスの優先度レベルに基づいて、前記第１の送信間隔に関する送信決定を行うこととを備える。
【０００９】
いくつかの実施形態による、マルチキャストグループのメンバーである例示的なワイヤレスデバイスは、第１のトラフィック間隔中送信しない意図または意思を示すマルチキャストグループの他のメンバーからの信号を監視することと、送信しない意図または意思を示す信号がそこから受信されなかった前記マルチキャストグループの他のメンバーに対する前記ワイヤレスデバイスの優先度レベルに基づいて、前記第１の送信間隔に関する送信決定とを行うように構成された、少なくとも１つのプロセッサを備える。例示的なワイヤレスデバイスは、前記少なくとも１つのプロセッサに結合されたメモリをさらに備える。
【００１０】
様々な実施形態が上記の概要で説明されたが、必ずしもすべての実施形態が同じ特徴を含むわけではなく、いくつかの実施形態では、上述の特徴のいくつかは必要ではないが望ましい可能性があることを諒解されたい。多数のさらなる特徴、実施形態および様々な実施形態の利益は、以下の発明を実施するための形態で説明される。
【図面の簡単な説明】
【００１１】
【図１】様々な例示的な実施形態により、マルチキャストシグナリングをサポートする例示的なピアツーピアワイヤレス通信システムの図。
【図２】様々な実施形態により、ワイヤレスデバイスを動作させる例示的な方法のフローチャート。
【図３】例示的な実施形態による例示的なワイヤレスデバイスの図。
【図４】図３に示された例示的なワイヤレスデバイス内で使用される可能性があり、いくつかの実施形態では使用されるモジュールのアセンブリの図。
【図５Ａ】様々な実施形態により、ワイヤレスデバイスを動作させる例示的な方法のフローチャートの第１の部分の図。
【図５Ｂ】様々な実施形態により、ワイヤレスデバイスを動作させる例示的な方法のフローチャートの第２の部分の図。
【図５Ｃ】様々な実施形態により、ワイヤレスデバイスを動作させる例示的な方法のフローチャートの第３の部分の図。
【図５Ｄ】様々な実施形態により、ワイヤレスデバイスを動作させる例示的な方法のフローチャートの第４の部分の図。
【図５】例示的な実施形態により、マルチキャストグループのメンバーであるワイヤレスデバイスを動作させる例示的な方法のフローチャート。
【図６】例示的な実施形態による例示的なワイヤレスデバイスの図。
【図７Ａ】図６に示された例示的なワイヤレスデバイス内で使用される可能性があり、いくつかの実施形態では使用されるモジュールのアセンブリの第１の部分の図。
【図７Ｂ】図６に示された例示的なワイヤレスデバイス内で使用される可能性があり、いくつかの実施形態では使用されるモジュールのアセンブリの第２の部分の図。
【図７Ｃ】図６に示された例示的なワイヤレスデバイス内で使用される可能性があり、いくつかの実施形態では使用されるモジュールのアセンブリの第３の部分の図。
【図７】図６に示された例示的なワイヤレスデバイス６００で使用される可能性があり、いくつかの実施形態では使用される、部分Ａ７９７と部分Ｂ７９８と部分Ｃ７９９とを含むモジュールのアセンブリ。
【図８】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第１の図。
【図９】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第２の図。
【図１０】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第３の図。
【図１１】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第４の図。
【図１２】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第５の図。
【図１３】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第６の図。
【図１４】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第７の図。
【図１５】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第８の図。
【図１６】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第９の図。
【図１７】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第１０の図。
【図１８】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第１１の図。
【図１９】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第１２の図。
【図２０】例示的な実施形態により、マルチキャストシグナリングとユニキャストピアツーピアシグナリングとをサポートするピアツーピアネットワーク内で、モバイルワイヤレス通信デバイスが通信する例を示す一連の図の中の第１３の図。
【図２１】いくつかの実施形態で使用される例示的な繰返しタイミング／周波数構造の図。
【図２２】たとえば、図８〜図１１のマルチキャストスケジューリングおよびマルチキャストトラフィックデータシグナリングの例に対応する、例示的なトラフィックシグナリングスケジューリングリソースと、対応する第１のトラフィック間隔データリソースと、例示的な実施形態により伝達される例示的な信号とを示す図を含む図。
【図２３】たとえば、図１２〜図１５のマルチキャストスケジューリングおよびマルチキャストトラフィックデータシグナリングの例に対応する、例示的なトラフィックシグナリングスケジューリングリソースと、対応する第２のトラフィック間隔データリソースと、例示的な実施形態により伝達される例示的な信号とを示す図を含む図。
【図２４】たとえば、図１６〜図１９のマルチキャストスケジューリングおよびマルチキャストトラフィックデータシグナリングの例に対応する、例示的なトラフィックシグナリングスケジューリングリソースと、対応する第３のトラフィック間隔データリソースと、例示的な実施形態により伝達される例示的な信号とを示す図を含む図。
【図２５】たとえば、図２０の接続スケジューリングおよびユニキャストピアツーピアトラフィックデータシグナリングの例に対応する、例示的なトラフィックシグナリングスケジューリングリソースと、対応する第４のトラフィック間隔データリソースと、例示的な実施形態により伝達される例示的な信号とを示す図を含む図。
【図２６】様々な例示的な実施形態により、例示的なピアツーピア接続と例示的なピアツーピア接続ユニキャストトラフィックスケジューリングリソースとを示し、例示的なピアツーピアトラフィックスケジューリングプロトコルを記載するために使用される図。
【図２７】様々な例示的な実施形態により、例示的なマルチキャストグループと例示的なマルチキャストグループトラフィックスケジューリングリソースとを示し、例示的なマルチキャストトラフィックスケジューリングプロトコルを記載するために使用される図。
【発明を実施するための形態】
【００１２】
図１は、様々な例示的な実施形態による、例示的なピアツーピアワイヤレス通信システム１００の図である。例示的なピアツーピアワイヤレス通信システム１００は、ピアツーピアシグナリングプロトコルをサポートする複数のワイヤレス通信デバイス（ワイヤレス通信デバイス１  １０２、ワイヤレス通信デバイス２  １０４、ワイヤレス通信デバイス３  １０６、ワイヤレス通信デバイス４  １０８、ワイヤレス通信デバイス５  １１０、ワイヤレス通信デバイス６  １１２、ワイヤレス通信デバイス７  １１４、ワイヤレス通信デバイス８  １１６、ワイヤレス通信デバイス９  １１８、ワイヤレス通信デバイス１０  １２０、．．．、ワイヤレス通信デバイスＮ  １２２）を含む。ピアツーピアシグナリングプロトコルは、１つのワイヤレスデバイスがそれ自体とピアツーピア接続を有する別のワイヤレスデバイスにユニキャストトラフィック信号を送信するユニキャストシグナリングと、グループのメンバーがそのマルチキャストグループの他のメンバーにマルチキャストトラフィック信号を送信するマルチキャストシグナリングの両方をサポートする。例示的なワイヤレス通信デバイス（１０２、１０６、１０８、１１０、１１２、１１４、１１８、１２０、１２２）はモバイルデバイスであり、ワイヤレス通信デバイス（１０４、１１６）は固定デバイスである。システム１００内のワイヤレス通信デバイスは、１つまたは複数のマルチキャストグループのメンバーである可能性があり、時々そのメンバーである。様々な実施形態では、様々な時刻に様々なメンバーがマルチキャストグループ内に存在する可能性がある。
【００１３】
様々な実施形態では、トラフィック間隔の間のスケジューリングは、ワイヤレスデバイスにより非集中的な分散型方式で実行される。ユニキャストトラフィック送信に対応する様々なトラフィックスケジューリング信号は、トラフィック信号を送信する要求と要求応答信号とを含む。マルチキャストトラフィック送信に対応する様々なトラフィックスケジューリング信号は、マルチキャストトラフィックを送信しない意図または意思を含む信号と、マルチキャストトラフィック信号を送信する要求と、要求応答信号とを含む。
【００１４】
図２は、様々な実施形態により、マルチキャストグループのメンバーであるワイヤレスデバイスを動作させる例示的な方法のフローチャート２００である。例示的な方法の動作はステップ２０２で始まり、そこでワイヤレスデバイスが電源投入され、初期化され、開始ステップ２０２からステップ２０４に進む。ステップ２０４で、ワイヤレスデバイスは、ワイヤレスデバイスによって受信されたグループメンバーシップ情報信号に基づいて、グループメンバーのリストを保守する。動作はステップ２０４からステップ２０６に進む。ステップ２０６で、ワイヤレスデバイスは、第１のトラフィック間隔中送信しない意図または意思を示すマルチキャストグループの他のメンバーからの信号を監視する。いくつかのそのような実施形態では、監視は、第１のトラフィック間隔に対応する第１のトラフィック要求期間の間実行される。動作はステップ２０６からステップ２０８に進む。ステップ２０８で、ワイヤレスデバイスは、トラフィック間隔の間、たとえば第１のトラフィック間隔の間送信しない意図または意思を示す信号がそこから受信された前記グループのメンバーを示す情報を記憶する。動作はステップ２０８からステップ２１０に進む。
【００１５】
ステップ２１０で、ワイヤレスデバイスは、送信しない意図または意思を示す信号がそこから受信されなかった前記マルチキャストグループの他のメンバーに対する前記ワイヤレスデバイスの優先度レベルに基づいて、前記第１のトラフィック間隔に関する送信決定を行う。ステップ２１０は、代替ステップであるステップ２１２とステップ２１４とを含む。ステップ２１２で、ワイヤレスデバイスは、前記監視が送信しない意図または意思を示す信号を検出しなかった前記マルチキャストグループ内のデバイスの優先度レベルよりも前記ワイヤレスデバイスの優先度レベルが高い場合、送信する決定を行う。動作はステップ２１２からステップ２１６に進む。
【００１６】
ステップ２１４に戻ると、ステップ２１４で、ワイヤレスデバイスは、前記監視がデータを送信しない意図または意思を示す信号を検出しなかった前記マルチキャストグループ内の別のデバイスの優先度レベルよりも前記ワイヤレスデバイスの優先度レベルが低い場合、送信しない決定を行う。動作はステップ２１４からステップ２２０に進む。
【００１７】
ステップ２１６に戻ると、ステップ２１６で、ワイヤレスデバイスは、第１のトラフィック間隔に対応する第２の送信要求期間の間、前記第１のトラフィック間隔中データを送信する意図または意思を示す第２の信号を送信する。次いで、ステップ２１８で、ワイヤレスデバイスは、マルチキャストグループのメンバーからの第２の信号に対応する送信要求応答を監視する。様々な実施形態では、第２の信号を送信するために使用される送信リソースと、前記応答を送信するために使用される可能性がある送信リソースとの間には、あらかじめ決められた既知の関係が存在する。動作はステップ２１８からステップ２２０に進む。
【００１８】
ステップ２２０で、ワイヤレスデバイスは、前記ワイヤレスデバイスが第２のトラフィック間隔中前記マルチキャストグループに送信するデータを有していない場合、前記第２のトラフィック送信間隔内で送信しない意図または意思を示す信号を送信する。動作はステップ２２０からステップ２２２に進む。ステップ２２２で、ワイヤレスデバイスは、前記ワイヤレスデバイスが、たとえば第３のトラフィック間隔中送信するユニキャストデータを有する場合、送信する意図または意思を示すユニキャストインジケータ信号を送信する。
【００１９】
図３は、例示的な実施形態による例示的なワイヤレスデバイス３００の図である。例示的なワイヤレスデバイス３００は、たとえば、図１のシステム１００のワイヤレス通信デバイスのうちの１つである。ワイヤレスデバイス３００は、たとえば、ピアツーピアシグナリングプロトコルをサポートし、マルチキャストグループのメンバーである、ワイヤレス通信デバイスである。例示的な通信デバイス３００は、図２のフローチャート２００による方法を実装することができ、時々その方法を実装する。
【００２０】
ワイヤレスデバイス３００は、バス３０９を介して互いに結合されたプロセッサ３０２とメモリ３０４とを含み、様々な要素（３０２、３０４）は、バス３０９を介してデータと情報とを交換することができる。ワイヤレスデバイス３００は、図示されたようにプロセッサ３０２に結合できる入力モジュール３０６と出力モジュール３０８とをさらに含む。しかしながら、いくつかの実施形態では、入力モジュール３０６および出力モジュール３０８は、プロセッサ３０２の内部に位置する。入力モジュール３０６は入力信号を受信することができる。入力モジュール３０６は、入力を受信するためのワイヤレス受信機および／または有線もしくは光入力のインターフェースを含むことができ、いくつかの実施形態ではそれらを含む。出力モジュール３０８は、出力を送信するためのワイヤレス送信機および／または有線もしくは光出力のインターフェースを含むことができ、いくつかの実施形態ではそれらを含む。いくつかの実施形態では、メモリ３０４は、ルーチン３１１とデータ／情報３１３とを含む。
【００２１】
様々な実施形態では、プロセッサ３０２は、第１のトラフィック間隔中送信しない意図または意思を示すマルチキャストグループの他のメンバーからの信号を監視し、送信しない意図または意思を示す信号がそこから受信されなかった前記マルチキャストグループの他のメンバーに対する前記ワイヤレスデバイスの優先度レベルに基づいて、前記第１の送信間隔に関する送信決定を行うように構成される。いくつかのそのような実施形態では、プロセッサ３０２は、第１のトラフィック間隔に対応する第１のトラフィック要求期間の間前記監視を実行し、前記送信決定が送信する決定である場合、第１のトラフィック間隔に対応する第２のトラフィック要求期間の間、前記第１のトラフィック間隔中送信する意図または意思を示す第２の信号を送信するように構成される。様々な実施形態では、プロセッサ３０２は、マルチキャストグループのメンバーからの前記第２の信号に対応する送信要求応答を監視するようにさらに構成される。いくつかのそのような実施形態では、前記第２の信号を送信するために使用される送信リソースと、前記応答を送信するために使用される可能性がある送信リソースとの間には、あらかじめ決められた既知の関係が存在する。いくつかの実施形態では、プロセッサ３０２は、送信決定を行うように構成されることの一部として、前記監視が送信しない意図または意思を示す信号を検出しなかった前記マルチキャストグループ内のデバイスの優先度レベルよりも前記ワイヤレスデバイスの優先度レベルが高い場合、送信する決定を行うように構成される。いくつかの実施形態では、プロセッサ３０２は、送信決定を行うように構成されることの一部として、前記監視が送信しない意図または意思を示す信号を検出しなかった前記マルチキャストグループ内の別のデバイスの優先度レベルよりも前記ワイヤレスデバイスの優先度レベルが低い場合、送信しない決定を行うように構成される。
【００２２】
様々な実施形態では、プロセッサ３０２は、前記ワイヤレスデバイスが第２のトラフィック間隔中前記マルチキャストグループに送信するデータを有していない場合、前記第２のトラフィック間隔内で送信しない意図または意思を示す信号を送信するようにさらに構成される。いくつかの実施形態では、プロセッサ３０２は、前記ワイヤレスデバイスによって受信されたグループメンバーシップ情報信号に基づいてグループメンバーのリストを保守し、トラフィック間隔の間送信しない意図または意思を示す信号がそこから受信された前記グループのメンバーを示す情報を記憶するようにさらに構成される。
【００２３】
様々な実施形態では、プロセッサ３０２は、前記ワイヤレスデバイスが送信するユニキャストトラフィックを有する場合、送信する意図または意思を示すユニキャストインジケータ信号を送信するようにさらに構成される。
【００２４】
図４は、図３に示された例示的なワイヤレスデバイス３００で使用される可能性があり、いくつかの実施形態では使用されるモジュールのアセンブリ４００である。アセンブリ４００内のモジュールは、たとえば個別回路として、図３のプロセッサ３０２の内部のハードウェアに実装することができる。代替として、それらのモジュールはソフトウェアに実装され、図３に示されたワイヤレスデバイス３００のメモリ３０４に記憶することができる。いくつかのそのような実施形態では、モジュールのアセンブリ４００は、図３のデバイス３００のメモリ３０４のルーチン３１１に含まれる。単一のプロセッサ、たとえばコンピュータとして図３の実施形態に示されたが、プロセッサ３０２は、１つまたは複数のプロセッサ、たとえばコンピュータとして実装できることを諒解されたい。ソフトウェアに実装されるとき、それらのモジュールはコードを含み、そのコードは、プロセッサによって実行されたとき、プロセッサ、たとえばコンピュータ３０２を、そのモジュールに対応する機能を実装するように構成する。いくつかの実施形態では、プロセッサ３０２は、モジュールのアセンブリ４００のモジュールの各々を実装するように構成される。モジュールのアセンブリ４００がメモリ３０４に記憶される実施形態では、メモリ３０４は、コンピュータ可読媒体、たとえば非一時的コンピュータ可読媒体を備えるコンピュータプログラム製品であり、コンピュータ可読媒体は、少なくとも１つのコンピュータ、たとえばプロセッサ３０２に、モジュールが対応する機能を実装させるためのコード、たとえばモジュールごとの個別コードを備える。
【００２５】
完全にハードウェアベースのモジュールまたは完全にソフトウェアベースのモジュールを使用することができる。しかしながら、機能を実装するために、ソフトウェアモジュールと（たとえば、回路実装型の）ハードウェアモジュールの任意の組合せが使用できることを諒解されたい。諒解されるはずであるが、図４に示されたモジュールは、図２のフローチャート２００の方法に図示および／または記載された対応するステップの機能を実行するように、ワイヤレスデバイス３００、またはプロセッサ３０２などのそのワイヤレスデバイス３００内の要素を制御および／または構成する。
【００２６】
モジュールのアセンブリ４００は、ワイヤレス端末によって受信されたグループメンバーシップ情報信号に基づいてグループメンバーのリストを保守するためのモジュール４０４と、トラフィック間隔の間送信しない意図または意思を示す信号がそこから受信されたマルチキャストグループの他のメンバーからの信号を監視するためのモジュール４０６と、トラフィック間隔の間送信しない意図または意思を示す信号がそこから受信された前記グループのメンバーを示す情報を記憶するためのモジュール４０８と、送信しない意図または意思を示す信号がそこから受信されなかった前記マルチキャストグループの他のメンバーに対する前記ワイヤレスデバイスの優先度レベルに基づいて前記第１のトラフィック間隔に関する送信決定を行うためのモジュール４１０とを含む。いくつかの実施形態では、モジュール４０６の監視は、第１のトラフィック間隔に対応する第１のトラフィック送信要求期間の間実行される。
【００２７】
モジュール４１０は、前記監視がデータを送信する意図または意思を示す信号を検出しなかった前記マルチキャストグループ内のデバイスの優先度レベルよりも前記ワイヤレスデバイスの優先度レベルが高い場合送信する決定を行うためのモジュール４１２と、前記監視がデータを送信しない意図または意思を示す信号を検出しなかった前記マルチキャストグループ内の別のデバイスの優先度レベルよりも前記ワイヤレスデバイスの優先度レベルが低い場合送信しない決定を行うためのモジュール４１４とを含む。
【００２８】
モジュールのアセンブリ４００は、前記送信決定が送信する決定である場合、第１のトラフィック間隔に対応する第２のトラフィック送信要求期間の間、前記第１のトラフィック間隔中データを送信する意図または意思を示す第２の信号を送信するためのモジュール４１６と、マルチキャストグループのメンバーからの第２の信号に対応する送信要求応答を監視するためのモジュール４１８とをさらに含む。様々な実施形態では、第２の信号を送信するために使用される送信リソースと、前記応答を送信するために使用される可能性がある送信リソースとの間には、あらかじめ決められた既知の関係が存在する。
【００２９】
モジュールのアセンブリ４００は、前記ワイヤレスデバイスが第２のトラフィック間隔中前記マルチキャストグループに送信するデータを有していない場合、前記第２のトラフィック間隔内で送信しない意図または意思を示す信号を送信するためのモジュール４２０と、前記ワイヤレスデバイスが送信するユニキャストデータを有する場合、送信する意図または意思を示すユニキャストインジケータ信号を送信するためのモジュール４２２とをさらに含む。
【００３０】
図５Ａ、図５Ｂ、図５Ｃおよび図５Ｄの組合せを備える図５は、例示的な実施形態により、マルチキャストグループのメンバーであるワイヤレスデバイスを動作させる例示的な方法のフローチャート５００である。例示的なワイヤレスデバイスは、たとえば、図１のシステム１００のワイヤレスデバイスのうちの１つである。例示的な方法の動作はステップ５０２で始まり、そこでワイヤレスデバイスが電源投入され、初期化される。動作は開始ステップ５０２からステップ５０４とステップ５０５とに進む。引き続き実行されるステップ５０４で、ワイヤレスデバイスは、ワイヤレスデバイスによって受信されたグループメンバーシップ情報に基づいて、グループメンバーのリストを保守する。
【００３１】
ステップ５０５に戻ると、ステップ５０５で、ワイヤレスデバイスは、対象のトラフィック間隔の間、マルチキャスト通信機会を有するか、またはユニキャスト通信機会を有するかを判定する。ワイヤレスデバイスがユニキャスト機会を有すると判定した場合、動作はステップ５０５から接続ノードＥ５６４を経由してステップ５６６に進む。しかしながら、ワイヤレスデバイスがマルチキャスト機会を有すると判定した場合、動作はステップ５０５からステップ５０６に進む。ステップ５０６で、ワイヤレスデバイスがマルチキャストグループに送信するデータを有すると判定した場合、動作はステップ５０６からステップ５０８に進み、そうでない場合、動作はステップ５０６から接続ノードＣ５１１を経由してステップ５１２に進む。ステップ５０８に戻ると、ステップ５０８で、ワイヤレスデバイスは、前記トラフィック間隔中送信しない意図または意思を示すマルチキャストグループの他のメンバーからの信号を監視する。動作はステップ５０８からステップ５１０に進み、そこでワイヤレスデバイスは、トラフィック間隔中送信しない意図または意思を示す信号がそこから受信された前記グループのメンバーを示す情報を記憶する。動作はステップ５１０からステップ５１４に進む。
【００３２】
ステップ５１４で、ワイヤレスデバイスは、送信しない意図または意思を示す信号がそこから受信されなかった前記マルチキャストグループの他のメンバーに対する前記ワイヤレスデバイスの優先度レベルに基づいて、前記トラフィック間隔に関する送信決定を行う。ステップ５１４は、ステップ５１６と、ステップ５１８と、ステップ５２０と、ステップ５２２と、ステップ５２４とを含む。ステップ５１６で、ワイヤレスデバイスは、トラフィック間隔中送信しない意図または意思を示す信号がそこから受信されなかった前記グループのメンバーを識別する。たとえば、ステップ５１６で識別された前記グループのメンバーは、ステップ５０４のグループメンバーのリストを取得し、次いでステップ５１０で記憶されたメンバーを削除することから決定される。動作はステップ５１６からステップ５１８に進む。ステップ５１８で、ワイヤレスデバイスは、トラフィック間隔中送信しない意図または意思を示す信号がそこから受信されなかった前記グループのメンバーの優先度レベルを判定する。動作はステップ５１８からステップ５２０に進む。
【００３３】
ステップ５２０で、ワイヤレスデバイスは、前記監視が送信しない意図または意思を示す信号を検出しなかった前記マルチキャストグループ内のデバイスの優先度レベルよりも、前記ワイヤレスデバイスの優先度レベルが高いかどうかを判定する。前記監視が送信しない意図または意思を示す信号を検出しなかった前記マルチキャストグループ内のデバイスの優先度レベルよりもワイヤレスデバイスの優先度レベルが高い場合、動作はステップ５２０からステップ５２２に進み、そうでない場合、動作はステップ５２０からステップ５２４に進む。ステップ５２２に戻ると、ステップ５２２で、ワイヤレスデバイスは、前記監視がデータを送信しない意図または意思を示す信号を検出しなかった前記マルチキャストグループ内のデバイスの優先度レベルよりも前記ワイヤレスデバイスの優先度レベルが高い場合、送信する決定を行う。ステップ５２４に戻ると、ステップ５２４で、ワイヤレスデバイスは、前記監視がデータを送信しない意図または意思を示す信号を検出しなかった前記マルチキャストグループ内の別のデバイスの優先度レベルよりも前記ワイヤレスデバイスの優先度レベルが低い場合、送信しない決定を行う。
【００３４】
動作は、ステップ５１４から接続ノードＡ５２６を経由してステップ５２８に進む。ステップ５１４の決定が送信する決定である場合、動作はステップ５２８からステップ５３０に進み、そうでない場合、動作はステップ５２８から接続ノードＦ５８２を経由してステップ５４４に進む。ステップ５３０に戻ると、ステップ５３０で、ワイヤレスデバイスは、トラフィック送信間隔に対応する第２のトラフィック送信要求期間の間、前記トラフィック間隔中データを送信する意図または意思を示す第２の信号を送信する。動作はステップ５３０からステップ５３２に進む。
【００３５】
ステップ５３２で、ワイヤレスデバイスは、マルチキャストグループのメンバーからの第２の信号に対応する送信要求応答を監視する。様々な実施形態では、ステップ５３０の第２の信号を送信するために使用される送信リソースと、ステップ５３２で受信される応答を送信するために使用される可能性があるリソースとの間には、あらかじめ決められた既知の関係が存在する。次いでステップ５３４で、ワイヤレスデバイスは、検出されたトラフィック送信要求応答に応じて、トラフィック間隔中データを送信するか否かの決定を行う。
【００３６】
様々な実施形態では、ステップ５３４は、受信の観点および送信の観点から、干渉の考察を実行することを含む。たとえば、意図されたグループメンバーの受信側のうちの１つまたは複数は、受信品質が低すぎる、たとえば所定の信号品質しきい値よりも下であると決定した可能性があり、受信側譲歩を実行することを決定した可能性があり、要求応答信号を送り返さなかった。別の例として、ワイヤレスデバイスは、そのグループに対するマルチキャスト送信を続行した場合、より高い優先度を有する別の接続または別のグループに対応する信号の受信に対して許容できないレベルの干渉をもたらす可能性があると判断した可能性があり、したがって送信側譲歩を実行し送信しないことを決定する。いくつかの実施形態では、データ送信を続行するワイヤレスデバイスの場合、そのグループ内の意図された受信側のうちの少なくとも１つは、続行することがＯＫであることを示す要求応答を送信しており、ワイヤレスデバイスは送信側譲歩を実行しないことを決定している。いくつかの実施形態では、データ送信を続行するワイヤレスデバイスの場合、そのグループ内の意図された受信側のうちの各々は、続行することがＯＫであることを示す要求応答を送信しており、ワイヤレスデバイスは送信側譲歩を実行しないことを決定している。いくつかの実施形態では、データ送信を続行するワイヤレスデバイスの場合、そのグループ内の意図された受信側のうちの各々は、続行することがＯＫであることを示す要求応答を送信しており、ワイヤレスデバイスは送信側譲歩を実行しないことを決定している。いくつかの実施形態では、データ送信を続行するワイヤレスデバイスの場合、そのグループ内の意図された受信側のうちの少なくとも所定の数または所定の割合は、続行することがＯＫであることを示す要求応答を送信しており、ワイヤレスデバイスは送信側譲歩を実行しないことを決定している。いくつかの実施形態では、他の接続および／または他のグループの受信された要求応答の電力が測定され、ワイヤレスデバイスがその送信を続行した場合他のリンクまたはグループにもたらす干渉の推定に使用される。
【００３７】
動作はステップ５３４からステップ５３６に進む。ステップ５３６で、ステップ５３４の決定がデータを送信することである場合、動作はステップ５３６からステップ５３８に進み、そうでない場合、動作はステップ５３６からステップ５４０に進む。ステップ５３８で、ワイヤレスデバイスは、トラフィック間隔中マルチキャストグループにデータを送信する。代替として、ステップ５４０で、ワイヤレスデバイスは、トラフィック間隔中マルチキャストグループにデータを送信することを控える。別のトラフィック間隔の考察のため、動作はステップ５３８またはステップ５４０から接続ノードＢ５４２を経由してステップ５０６に進む。
【００３８】
ステップ５１２に戻ると、ステップ５１２で、ワイヤレスデバイスは、前記ワイヤレスデバイスがトラフィック間隔中前記マルチキャストグループに送信するデータを有していない場合、前記トラフィック間隔内で送信しない意図または意思を示す信号を送信する。動作はステップ５１２からステップ５４４に進む。ステップ５４４で、ワイヤレスデバイスは、トラフィック間隔中前記グループにデータを送信する意図または意思を示す前記グループの別のメンバーからの信号を第２のトラフィック送信要求間隔の間監視する。ステップ５４４は、トラフィック間隔中前記グループにデータを送信する意図または意思を示す前記グループの別のメンバーからの信号をワイヤレスデバイスが受信するステップ５４６を含む場合があり、時々ステップ５４６を含む。動作はステップ５４４からステップ５４８に進む。
【００３９】
ステップ５４８で、ワイヤレスデバイスがステップ５４４の監視においてグループに送信する意図または意思を示す信号を受信した場合、動作はステップ５４８からステップ５５０に進み、そうでない場合、動作はステップ５４８から接続ノードＤ５６２を経由してステップ５０５に進む。ステップ５５０に戻ると、ステップ５５０で、ワイヤレスデバイスは、受信側譲歩を実行するか否かを判定する。様々な実施形態では、ステップ５５０の判定は、同じエアリンクリソースを使用する予想される同時送信に鑑みて要求されたトラフィック信号を続行すべき場合、ワイヤレスデバイスで推定される受信信号品質に応じて実行される。たとえば、推定される受信ＳＩＮＲが所定のしきい値と比較され、推定される受信ＳＩＮＲが所定のしきい値よりも上である場合、受信側譲歩を実行しないことが決定される。ワイヤレスデバイスが受信側譲歩を実行すると決定した場合、動作はステップ５５２からステップ５６０に進み、ここでワイヤレスデバイスは、トラフィック間隔中前記グループにデータを送信する意図または意思を示す前記グループの別のメンバーからの前記受信信号に応答して送信要求応答信号を送信することを控える。別のトラフィック間隔の考察のため、動作はステップ５６０から接続ノードＤ５６２を経由してステップ５０５に進む。
【００４０】
ステップ５５２に戻ると、ワイヤレスデバイスが受信側譲歩を実行しないと決定した場合、動作はステップ５５２からステップ５５４に進み、ここでワイヤレスデバイスは、前記グループに送信する要求を示す受信信号に対応する送信要求応答を送信する。動作はステップ５５４からステップ５５６に進む。ステップ５５６で、ワイヤレスデバイスは、トラフィック間隔中データを監視する。ステップ５５６は、ワイヤレスデバイスがトラフィック間隔中グループに宛てられたデータを受信するステップ５５８を含む場合があり、時々ステップ５５８を含む。別のトラフィック間隔の考察のため、動作はステップ５５６から接続ノードＤ５６２を経由してステップ５０５に進む。
【００４１】
ステップ５６６に戻ると、ステップ５６６で、ワイヤレスデバイスは、ワイヤレスデバイスがトラフィック間隔中送信するユニキャストトラフィックデータを有するか否かを判定する。ワイヤレスデバイスが送信するユニキャストデータを有する場合、動作はステップ５６６からステップ５６８に進み、そうでない場合、動作はステップ５６６からステップ５７８に進み、そこでワイヤレスデバイスは、トラフィック間隔中ユニキャストデータを送信することを控える。
【００４２】
ステップ５６８に戻ると、ステップ５６８で、ワイヤレスデバイスは、送信する意図または意思を示すユニキャストインジケータ信号を送信する。動作はステップ５６８からステップ５７０に進む。ステップ５７０で、ワイヤレスデバイスは、送信されたユニキャストインジケータ信号に応答してユニキャスト要求応答信号を監視する。動作はステップ５７０からステップ５７２に進む。ステップ５７２で、ワイヤレスデバイスは、ユニキャストデータ送信要求応答信号が受信されたか否かに応じて、かつ送信されたユニキャストインジケータ信号に応答して要求応答信号が受信された場合より高い優先度の接続に対して予測される干渉に応じて、トラフィック間隔中意図されたユニキャストデータ送信を続行するか否かの決定を行う。動作はステップ５７２からステップ５７４に進む。
【００４３】
ステップ５７４で、ステップ５７２の決定が意図されたユニキャスト送信を続行することである場合、動作はステップ５７４からステップ５７６に進み、そこでワイヤレスデバイスは、トラフィック間隔中ユニキャストデータを送信する。しかしながら、ステップ５７２の決定が意図されたユニキャスト送信を続行することでなかった場合、動作はステップ５７４からステップ５７８に進み、そこでワイヤレスデバイスは、トラフィック間隔中ユニキャストデータを送信することを控える。動作はステップ５７６またはステップ５７８から接続ノードＦ５８０を経由してステップ５０５に進み、そこで別のトラフィック間隔が考察される。
【００４４】
一例では、第１のトラフィック間隔に対応するフローチャートの第１の繰返しの間、動作は、ステップ５０５と、ステップ５０６と、ステップ５０８と、ステップ５１０と、ステップ５１６とステップ５１８とステップ５２０とステップ５２２とを含むステップ５１４と、ステップ５２８と、ステップ５３０と、ステップ５３２と、ステップ５３４と、ステップ５３６と、ステップ５３８とを経由して進み、第１のトラフィック間隔中のワイヤレスデバイスによるマルチキャストトラフィックデータの送信をもたらす。この例を続けると、第２のトラフィック間隔に対応するフローチャートの第２の繰返しの間、動作は、ステップ５０５と、ステップ５０６と、ステップ５０８と、ステップ５１０と、ステップ５１６とステップ５１８とステップ５２０とステップ５２４とを含むステップ５１４と、ステップ５２８と、ステップ５４６を含むステップ５４４と、ステップ５４８と、ステップ５５０と、ステップ５５２と、ステップ５５４と、ステップ５５８を含むステップ５５６とを経由して進み、ワイヤレスデバイスの優先度よりも高い優先度を有する前記マルチキャストグループの別のメンバーからの、第２のトラフィック間隔中のマルチキャストデータの復元をもたらす。この例を続けると、第３のトラフィック間隔に対応するフローチャートの第３の繰返しの間、動作は、ステップ５０５と、ステップ５０６と、ステップ５１２と、ステップ５４６を含むステップ５４４と、ステップ５４８と、ステップ５５０と、ステップ５５２と、ステップ５５４と、ステップ５５８を含むステップ５５６とを経由して進み、第３のトラフィック間隔中の前記グループの別のメンバーからのマルチキャストトラフィックデータの受信と復元とをもたらす。この例を続けると、第４のトラフィック間隔に対応するフローチャートの第４の繰返しの間、動作は、ステップ５０５と、ステップ５６６と、ステップ５６８と、ステップ５７０と、ステップ５７２と、ステップ５７４と、ステップ５７６とを経由して進み、ワイヤレスデバイスによる第４のトラフィック間隔中のユニキャストトラフィックデータの送信をもたらす。
【００４５】
図６は、例示的な実施形態による例示的なワイヤレスデバイス６００の図である。例示的なワイヤレスデバイス６００は、たとえば、図１のシステム１００のワイヤレス通信デバイスのうちの１つである。ワイヤレスデバイス６００は、たとえば、ピアツーピアシグナリングプロトコルをサポートし、マルチキャストグループのメンバーである、ワイヤレス通信デバイスである。例示的な通信デバイス６００は、図５のフローチャート５００による方法を実装することができ、時々その方法を実装する。
【００４６】
ワイヤレスデバイス６００は、バス６０９を介して互いに結合されたプロセッサ６０２とメモリ６０４とを含み、様々な要素（６０２、６０４）は、バス６０９を介してデータと情報とを交換することができる。ワイヤレスデバイス６００は、図示されたようにプロセッサ６０２に結合できる入力モジュール６０６と出力モジュール６０８とをさらに含む。しかしながら、いくつかの実施形態では、入力モジュール６０６および出力モジュール６０８は、プロセッサ６０２の内部に位置する。入力モジュール６０６は入力信号を受信することができる。入力モジュール６０６は、入力を受信するためのワイヤレス受信機および／または有線もしくは光入力のインターフェースを含むことができ、いくつかの実施形態ではそれらを含む。出力モジュール６０８は、出力を送信するためのワイヤレス送信機および／または有線もしくは光出力のインターフェースを含むことができ、いくつかの実施形態ではそれらを含む。いくつかの実施形態では、メモリ６０４は、ルーチン６１１とデータ／情報６１３とを含む。
【００４７】
図７Ａ、図７Ｂおよび図７Ｃの組合せを備える図７は、図６に示された例示的なワイヤレスデバイス６００で使用される可能性があり、いくつかの実施形態では使用される、部分Ａ７９７と部分Ｂ７９８と部分Ｃ７９９とを含むモジュールのアセンブリ７００である。アセンブリ７００内のモジュールは、たとえば個別回路として、図６のプロセッサ６０２の内部のハードウェアに実装することができる。代替として、それらのモジュールはソフトウェアに実装され、図６に示されたワイヤレスデバイス６００のメモリ６０４に記憶することができる。いくつかのそのような実施形態では、モジュールのアセンブリ７００は、図６のデバイス６００のメモリ６０４のルーチン６１１に含まれる。単一のプロセッサ、たとえばコンピュータとして図６の実施形態に示されたが、プロセッサ６０２は、１つまたは複数のプロセッサ、たとえばコンピュータとして実装できることを諒解されたい。ソフトウェアに実装されるとき、それらのモジュールはコードを含み、そのコードは、プロセッサによって実行されたとき、プロセッサ、たとえばコンピュータ６０２を、そのモジュールに対応する機能を実装するように構成する。いくつかの実施形態では、プロセッサ６０２は、モジュールのアセンブリ７００のモジュールの各々を実装するように構成される。モジュールのアセンブリ７００がメモリ６０４に記憶される実施形態では、メモリ６０４は、コンピュータ可読媒体、たとえば非一時的コンピュータ可読媒体を備えるコンピュータプログラム製品であり、コンピュータ可読媒体は、少なくとも１つのコンピュータ、たとえばプロセッサ６０２に、モジュールが対応する機能を実装させるためのコード、たとえばモジュールごとの個別コードを備える。
【００４８】
完全にハードウェアベースのモジュールまたは完全にソフトウェアベースのモジュールを使用することができる。しかしながら、機能を実装するために、ソフトウェアモジュールと（たとえば、回路実装型の）ハードウェアモジュールの任意の組合せが使用できることを諒解されたい。諒解されるはずであるが、図７に示されたモジュールは、図５のフローチャート５００の方法に図示および／または記載された対応するステップの機能を実行するように、ワイヤレスデバイス６００、またはプロセッサ６０２などのそのワイヤレスデバイス６００内の要素を制御および／または構成する。
【００４９】
モジュールのアセンブリ７００は、ワイヤレスデバイスによって受信されたグループメンバーシップ情報信号に基づいてグループメンバーのリストを保守するためのモジュール７０４と、ワイヤレスデバイスがトラフィック間隔中マルチキャスト機会を有するかまたはユニキャスト機会を有するかを判定するためのモジュール７０５と、ワイヤレスデバイスがトラフィック間隔中マルチキャスト機会を有するかまたはユニキャスト機会を有するかに関する判定に応じて動作を制御するためのモジュール７０３と、ワイヤレスデバイスがトラフィック間隔中マルチキャストグループに送信するデータを有するかどうかを判定するためのモジュール７０６と、ワイヤレスデバイスがトラフィック間隔中マルチキャストグループに送信するデータを有するか否かに関する判定に応じて動作を制御するためのモジュール７０７とを含む。モジュールのアセンブリ７００は、トラフィック間隔中送信しない意図または意思を示すマルチキャストグループの他のメンバーからの信号を監視するためのモジュール７０８と、トラフィック間隔中送信しない意図または意思を示す信号がそこから受信された前記グループのメンバーを示す情報を記憶するためのモジュール７１０と、送信しない意図または意思を示す信号がそこから受信された前記マルチキャストグループの他のメンバーに対する前記ワイヤレスデバイスの優先度レベルに基づいて前記トラフィック間隔に関する送信決定を行うためのモジュール７１４とをさらに含む。送信決定を行うためのモジュール７１４は、トラフィック間隔中送信しない意図または意思を示す信号がそこから受信されなかった前記グループのメンバーを識別するためのモジュール７１６と、トラフィック間隔中送信しない意図または意思を示す信号がそこから受信されなかった前記グループのメンバーの優先度レベルを判定するためのモジュール７１８と、前記監視がデータを送信しない意図または意思を示す信号を検出しなかった前記マルチキャストグループ内のデバイスの優先度レベルよりも前記ワイヤレスデバイスの優先度レベルが高いかどうかを判定するためのモジュール７２０と、前記監視がデータを送信しない意図または意思を示す信号を検出しなかった前記マルチキャストグループ内のデバイスの優先度レベルよりも前記ワイヤレスデバイスの優先度レベルが高いかどうかの判定に応じて動作を制御するためのモジュール７２１と、前記監視がデータを送信しない意図または意思を示す信号を検出しなかった前記マルチキャストグループ内のデバイスの優先度レベルよりも前記ワイヤレスデバイスの優先度レベルが高い場合送信する決定を行うためのモジュール７２２と、前記監視がデータを送信しない意図または意思を示す信号を検出しなかった前記マルチキャストグループ内の別のデバイスの優先度レベルよりも前記ワイヤレスデバイスの優先度レベルが低い場合送信しない決定を行うためのモジュール７２４とを含む。
【００５０】
モジュールのアセンブリ７００は、送信決定、たとえばステップ７２２またはステップ７２４の送信決定に応じて動作を制御するためのモジュール７２８と、トラフィック間隔に対応する第２のトラフィック送信要求期間の間、前記トラフィック間隔中データを送信する意図または意思を示す第２の信号を送信するためのモジュール７３０と、マルチキャストグループのメンバーからの第２の信号に対応する送信要求応答を監視するためのモジュール７３２と、検出されたトラフィック送信要求応答に応じてトラフィック間隔中データを送信するか否かの決定を行うためのモジュール７３４と、検出されたトラフィック送信要求応答に応じてトラフィック間隔中データを送信するか否かの決定に応じて動作を制御するためのモジュール７３６と、トラフィック間隔中マルチキャストデータを送信するためのモジュール７３８と、トラフィック間隔中マルチキャストデータを送信することを控えるようにワイヤレスデバイスを制御するためのモジュール７４０とをさらに含む。モジュールのアセンブリ７００は、前記ワイヤレスデバイスがトラフィック間隔中前記マルチキャストグループに送信するデータを有していない場合、前記トラフィック間隔内で送信しない意図または意思を示す信号を送信するためのモジュール７１２と、トラフィック間隔中前記グループにデータを送信する意図または意思を示す前記グループの別のメンバーからの信号を第２のトラフィック送信要求間隔の間監視するためのモジュール７４４とをさらに含む。監視するためのモジュール７４４は、トラフィック間隔中前記グループにデータを送信する意図または意思を示す前記グループの別のメンバーからの信号を受信するためのモジュール７４６を含む。
【００５１】
モジュールのアセンブリ７００は、トラフィック間隔中前記グループにデータを送信する意図または意思を示す前記グループの別のメンバーからの信号が受信されたかどうかを判定するためのモジュール７４８と、トラフィック間隔中前記グループにデータを送信する意図または意思を示す前記グループの別のメンバーからの信号が受信されたかどうかの判定に応じて動作を制御するためのモジュール７４９と、受信側譲歩を実行するか否かを決定するためのモジュール７５０と、ワイヤレスデバイスが受信側譲歩を実行することを決定したか否かの判定に応じて動作を制御するためのモジュール７５２と、前記ワイヤレスデバイスが受信側譲歩を実行しないと決定した場合、前記グループに送信する要求を示す受信信号に対応する送信要求応答を送信するためのモジュール７５４と、トラフィック間隔中データを監視するためのモジュール７５６と、前記ワイヤレスデバイスが受信側譲歩を実行すると決定した場合、トラフィック間隔中前記グループにデータを送信する意図または意思を示す前記グループの別のメンバーからの前記受信信号に応答して送信要求応答信号を送信することを控えるようにワイヤレスデバイスを制御するためのモジュール７６０とをさらに含む。監視するためのモジュール７５６は、トラフィック間隔中前記グループに宛てられたデータを受信するためのモジュール７５８を含む。
【００５２】
モジュールのアセンブリ７００は、ワイヤレスデバイスが送信するユニキャストトラフィックデータを有するかどうかを判定するためのモジュール７６６と、ワイヤレスデバイスが送信するユニキャストトラフィックデータを有するか否かに関する判定に応答して動作を制御するためのモジュール７６７と、送信する意図または意思を示すユニキャストインジケータ信号を送信するためのモジュール７６８と、送信されたユニキャストインジケータ信号に応答してユニキャスト要求応答信号を監視するためのモジュール７７０と、ユニキャスト要求応答が受信されたか否かに応じて、かつ送信されたユニキャストインジケータ信号に応答して要求応答信号が受信された場合、より高い優先度の接続に対して予測される干渉に応じて、トラフィック間隔中に意図されたユニキャストデータ送信を続行するか否かの決定を行うためのモジュール７７２と、トラフィック間隔中に意図されたユニキャストデータ送信を続行するか否かの決定に応じて動作を制御するためのモジュール７７４とをさらに含む。モジュールのアセンブリ７００は、トラフィック間隔中ユニキャストデータを送信するためのモジュール７７６と、トラフィック間隔中ユニキャストデータを送信することを控えるようにワイヤレスデバイスを制御するためのモジュール７７８とをさらに含む。
【００５３】
図８〜図２０は、例示的な実施形態により、マルチキャストシグナリングとユニキャストピアツーピアシグナリングとをサポートするピアツーピアネットワーク内で、モバイルワイヤレス通信デバイスが通信する例を示す。図８の図８００は、複数のモバイルワイヤレス通信デバイス（ワイヤレス通信デバイスＡ８０２、ワイヤレス通信デバイスＢ８０４、ワイヤレス通信デバイスＣ８０６、ワイヤレス通信デバイスＤ８０８、ワイヤレス通信デバイスＥ８１０）を示す。ワイヤレスデバイス（８０２、８０４、８０６、８０８、８１０）は、たとえば、図１のシステム１００のモバイルワイヤレス通信デバイスのうちのいずれかであり、かつ／または図２のフローチャート２００の方法および／もしくは図５のフローチャート５００の方法に従って実装され、かつ／または図３のデバイス３００および／もしくは図６のデバイス６００に従って実装される。
【００５４】
ワイヤレス通信デバイス（デバイスＡ８０２、デバイスＢ８０４、デバイスＣ８０６、デバイスＥ８０８）は、形成されており、点線の円８１２によって示されたマルチキャストグループの一部である。デバイスＡ８０２とデバイスＥ８１０は、点線８１４によって示されたピアツーピアユニキャスト接続を有する。様々なエアリンクリソース、たとえば時間周波数リソースは、マルチキャストグループ８１２とピアツーピアユニキャスト接続８１４とに関連付けられ、たとえばトラフィック間隔の間の接続スケジューリングで使用されるリソースである。マルチキャストグループのメンバーの各々は、ワイヤレスデバイスによって受信されたグループメンバーシップ情報信号に基づいて、グループメンバーのリストを保守する。デバイスＡのグループメンバーリスト８１６は、デバイスＢ８０４、デバイスＣ８０６およびデバイスＤ８０８が、デバイスＡが属する同じマルチキャストグループ８１２のメンバーであることを示す。デバイスＢのグループメンバーリスト８１８は、デバイスＡ８０２、デバイスＣ８０６およびデバイスＤ８０８が、デバイスＢが属する同じマルチキャストグループ８１２のメンバーであることを示す。デバイスＣのグループメンバーリスト８２０は、デバイスＡ８０２、デバイスＢ８０４およびデバイスＤ８０８が、デバイスＣが属する同じマルチキャストグループ８１２のメンバーであることを示す。デバイスＤのグループメンバーリスト８２２は、デバイスＡ８０２、デバイスＢ８０４およびデバイスＣ８０６が、デバイスＤが属する同じマルチキャストグループ８１２のメンバーであることを示す。マルチキャストグループ内には、マルチキャスト送信機会がそのグループに対して実現可能である各トラフィックセグメントに対応する、各メンバーに関連付けられた優先度が存在する。この例では、特定のメンバーに関連付けられた優先度は、たとえば、マルチキャストグループのメンバーに知られている所定のパターンに従って、１つのトラフィック間隔から別のトラフィック間隔に変わる可能性があり、時々変わる。この手法により、グループの複数のメンバーが、しばしば同じトラフィック送信セグメントを使用して同じトラフィック間隔中にマルチキャストデータをグループに送信したいとき、グループの様々なメンバーがマルチキャスト送信機会を有する可能性が高まる。
【００５５】
図８〜図１１は第１のトラフィック間隔に対応する。ワイヤレス通信デバイスＡ８０２は、ボックス８２４によって示されたように、トラフィック間隔１の間マルチキャストグループ内で優先度＝１を有し、ワイヤレス通信デバイスＢ８０４は、ボックス８２６によって示されたように、トラフィック間隔１の間マルチキャストグループ内で優先度＝２を有し、ワイヤレス通信デバイスＣ８０６は、ボックス８２８によって示されたように、トラフィック間隔１の間マルチキャストグループ内で優先度＝３を有し、ワイヤレス通信デバイスＤ８０８は、ボックス８３０によって示されたように、トラフィック間隔１の間マルチキャストグループ内で優先度＝４を有する。この例では、優先度＝１は優先度＝２よりも高い優先度であり、優先度＝２は優先度＝３よりも高い優先度であり、優先度＝３は優先度＝４よりも高い優先度である。ワイヤレス通信デバイスＡ８０２は、ボックス８３２によって示されたように、トラフィック間隔１内で送信したいマルチキャストデータを有する。ワイヤレス通信デバイスＢ８０４は、ボックス８３４によって示されたように、トラフィック間隔１内で送信したいマルチキャストデータを有していない。ワイヤレス通信デバイスＣ８０６は、ボックス８３６によって示されたように、トラフィック間隔１内で送信したいマルチキャストデータを有する。ワイヤレス通信デバイスＤ８０８は、ボックス８３８によって示されたように、トラフィック間隔１内で送信したいマルチキャストデータを有していない。
【００５６】
トラフィック間隔１の間送信するつもりではないマルチキャストグループのデバイス（デバイスＢ８０４、デバイスＤ８０８）は、それぞれ、第１のトラフィック間隔中マルチキャストトラフィックデータを送信しない意図または意思を示す信号（８４０、８４２）を生成し送信する。信号（８４０、８４２）は、第１のトラフィック間隔に対応する第１のトラフィック送信要求期間の間送信される。ワイヤレスデバイス（デバイスＡ８０２、デバイスＣ８０６）は、第１のトラフィック間隔中送信しない意図または意思を示すマルチキャストグループの他のメンバーからの信号を監視しており、信号８４０と信号８４２とを受信した。ワイヤレスデバイスＡ８０２は、ワイヤレスデバイスＢ８０４が送信しない意図または意思を示したことを受信信号８４０から判断し、ワイヤレスデバイスＤ８０８が送信しない意図または意思を示したことを受信信号８４２から判断する。ワイヤレスデバイスＡ８０２は、デバイスＢ８０４およびデバイスＤ８０８が第１のトラフィック間隔の間送信しない意図または意思を示したことを示す情報８４４を記憶する。ワイヤレスデバイスＣ８０６は、ワイヤレスデバイスＢ８０４が送信しない意図または意思を示したことを受信信号８４２から判断し、ワイヤレスデバイスＤ８０８が送信しない意図または意思を示したことを受信信号８４２から判断する。ワイヤレスデバイスＣ８０６は、デバイスＢ８０４およびデバイスＤ８０８が第１のトラフィック間隔の間送信しない意図または意思を示したことを示す情報８４６を記憶する。
【００５７】
図９の図９００では、ワイヤレスデバイスＡ８０２は、ブロック９０２によって示されたように、デバイスＣ８０６が第１のトラフィック間隔中マルチキャストデータを送信するつもりであることを、情報８４４およびグループメンバーリスト８１６から判断する。ワイヤレスデバイスＡ８０２は、ブロック８２４によって示されたそれ自体の優先度を、ブロック８２８によって示されたデバイスＣの優先度と比較し、ブロック９０４によって示されたように、トラフィック間隔１の間デバイスＡがデバイスＣよりも高い優先度を有すると判断する。ワイヤレスデバイスＡ８０２は、ブロック９０６によって示されたように、優先度比較に基づいて、トラフィック間隔１内でその意図されたマルチキャストデータ送信を続行することを決定する。
【００５８】
ワイヤレスデバイスＣ８０６は、ブロック９０８によって示されたように、デバイスＡ８０２が第１のトラフィック間隔中マルチキャストデータを送信するつもりであることを、情報８４６およびグループメンバーリスト８２０から判断する。ワイヤレスデバイスＣ８０６は、ブロック８２８によって示されたそれ自体の優先度を、ブロック８２４によって示されたデバイスＡの優先度と比較し、ブロック９１０によって示されたように、トラフィック間隔１の間デバイスＣがデバイスＡよりも低い優先度を有すると判断する。ワイヤレスデバイスＣ８０６は、ブロック９１２によって示されたように、優先度比較に基づいて、トラフィック間隔１内で送信しないことを決定する。
【００５９】
ワイヤレスデバイスＡ８０２は、第１のトラフィック間隔に対応する第２のトラフィック送信要求期間の間信号９１４を送信する。第１のトラフィック間隔中マルチキャストデータを送信する意図または意思を示す信号９１４は、ワイヤレスデバイス（デバイスＢ８０４、デバイスＣ８０６、デバイスＤ８０８）によって受信される。
【００６０】
図１０の図１０００では、ワイヤレスデバイス（デバイスＢ８０４、デバイスＣ８０６、デバイスＤ８０８）は、ブロック（１００２、１００４、１００６）によって示されたように、デバイスＡ８０２からの意図されたマルチキャストデータ送信を続行することがＯＫであると決定する。たとえば、デバイス（８０４、８０６、８０８）は、送信が続行した場合、送信信号を復元できる、たとえばそれらの予想ＳＩＮＲが許容可能であると推定している。デバイス（８０４、８０６、８０８）は、それぞれ、送信要求信号９１４に対応する送信要求応答信号（１００８、１０１０、１０１２）を生成し送信する。信号（１００８、１０１０、１０１２）は、第１のトラフィック間隔に対応する要求応答間隔の間送信される。ワイヤレス通信デバイスＡ８０２は、そのマルチキャストグループのメンバーからの、信号９１４に対応する要求応答信号を監視しており、信号（１００８、１０１０、１０１２）を検出する。ワイヤレスデバイスＡ８０２は、ブロック１０１４によって示されたように、トラフィック間隔１内で意図されたマルチキャストデータ送信を続行することがＯＫであると決定する。
【００６１】
図１１の図１１００では、ワイヤレス通信デバイスＡ８０２は、第１のトラフィック間隔内でマルチキャストトラフィックデータ信号１１０２を送信する。信号１１０２は、そのマルチキャストの他のメンバー（デバイスＢ８０４、デバイスＣ８０６、デバイスＤ８０８）によって受信され復元される。
【００６２】
図１２〜図１５は第２のトラフィック間隔に対応する。ワイヤレス通信デバイスＡ８０２は、ボックス１２０２によって示されたように、トラフィック間隔２の間マルチキャストグループ内で優先度＝４を有し、ワイヤレス通信デバイスＢ８０４は、ボックス１２０４によって示されたように、トラフィック間隔２の間マルチキャストグループ内で優先度＝１を有し、ワイヤレス通信デバイスＣ８０６は、ボックス１２０６によって示されたように、トラフィック間隔２の間マルチキャストグループ内で優先度＝２を有し、ワイヤレス通信デバイスＤ８０８は、ボックス１２０８によって示されたように、トラフィック間隔２の間マルチキャストグループ内で優先度＝１を有する。ワイヤレス通信デバイスＡ８０２は、ボックス１２１０によって示されたように、トラフィック間隔２内で送信したいマルチキャストデータを有する。ワイヤレス通信デバイスＢ８０４は、ボックス１２１２によって示されたように、トラフィック間隔２内で送信したいマルチキャストデータを有していない。ワイヤレス通信デバイスＣ８０６は、ボックス１２１４によって示されたように、トラフィック間隔２内で送信したいマルチキャストデータを有する。ワイヤレス通信デバイスＤ８０８は、ボックス１２１６によって示されたように、トラフィック間隔２内で送信したいマルチキャストデータを有していない。
【００６３】
トラフィック間隔２の間送信するつもりではないマルチキャストグループのデバイス（デバイスＢ８０４、デバイスＤ８０８）は、それぞれ、第２のトラフィック間隔中マルチキャストトラフィックデータを送信しない意図または意思を示す信号（１２２２、１２２４）を生成し送信する。信号（１２２２、１２２４）は、第２のトラフィック間隔に対応する第１のトラフィック送信要求期間の間送信される。ワイヤレスデバイス（デバイスＡ８０２、デバイスＣ８０６）は、第２のトラフィック間隔中送信しない意図または意思を示すマルチキャストグループの他のメンバーからの信号を監視しており、信号１２２２と信号１２２４とを受信する。ワイヤレスデバイスＡ８０２は、ワイヤレスデバイスＢ８０４が送信しない意図または意思を示したことを受信信号１２２２から判断し、ワイヤレスデバイスＤ８０８が送信しない意図または意思を示したことを受信信号１２２４から判断する。ワイヤレスデバイスＡ８０２は、デバイスＢ８０４およびデバイスＤ８０８が第２のトラフィック間隔の間送信しない意図または意思を示したことを示す情報１２１８を記憶する。ワイヤレスデバイスＣ８０６は、ワイヤレスデバイスＢ８０４が送信しない意図または意思を示したことを受信信号１２２２から判断し、ワイヤレスデバイスＤ８０８が送信しない意図または意思を示したことを受信信号１２２４から判断する。ワイヤレスデバイスＣ８０６は、デバイスＢ８０４およびデバイスＤ８０８が第２のトラフィック間隔の間送信しない意図または意思を示したことを示す情報１２２０を記憶する。
【００６４】
図１３の図１３００では、ワイヤレスデバイスＡ８０２は、ブロック１３０２によって示されたように、デバイスＣ８０６が第２のトラフィック間隔中マルチキャストデータを送信するつもりであることを、情報１２１８およびグループメンバーリスト８１６から判断する。ワイヤレスデバイスＡ８０２は、ブロック１２０２によって示されたそれ自体の優先度を、ブロック１２０６によって示されたデバイスＣの優先度と比較し、ブロック１３０４によって示されたように、トラフィック間隔２の間デバイスＡがデバイスＣよりも低い優先度を有すると判断する。ワイヤレスデバイスＡ８０２は、ブロック１３０６によって示されたように、優先度比較に基づいて、トラフィック間隔２内で送信しないことを決定する。
【００６５】
ワイヤレスデバイスＣ８０６は、ブロック１３０８によって示されたように、デバイスＡ８０２が第２のトラフィック間隔中マルチキャストデータを送信するつもりであることを、情報１２２０およびグループメンバーリスト８２０から判断する。ワイヤレスデバイスＣ８０６は、ブロック１２０６によって示されたそれ自体の優先度を、ブロック１２０２によって示されたデバイスＡの優先度と比較し、ブロック１３１０によって示されたように、トラフィック間隔２の間デバイスＣがデバイスＡよりも高い優先度を有すると判断する。ワイヤレスデバイスＣ８０６は、ブロック１３１２によって示されたように、優先度比較に基づいて、トラフィック間隔２内でその意図されたマルチキャストデータ送信を続行することを決定する。
【００６６】
ワイヤレスデバイスＣ８０６は、第２のトラフィック間隔に対応する第２のトラフィック送信要求期間の間信号１３１４を送信する。第２のトラフィック間隔中マルチキャストデータを送信する意図または意思を示す信号１３１４は、ワイヤレスデバイス（デバイスＡ８０２、デバイスＢ８０４、デバイスＤ８０８）によって受信される。
【００６７】
図１４の図１４００では、ワイヤレスデバイス（デバイスＡ８０２、デバイスＢ８０４、デバイスＤ８０８）は、ブロック（１４０２、１４０４、１４０６）によって示されたように、デバイスＣ８０６からの意図されたマルチキャストデータ送信を続行することがＯＫであると決定する。たとえば、デバイス（８０２、８０４、８０８）は、送信が続行した場合、送信信号を復元できる、たとえばそれらの予想ＳＩＮＲが許容可能であると推定している。デバイス（８０２、８０４、８０８）は、それぞれ、送信要求信号１３１４に対応する送信要求応答信号（１４０８、１４１０、１４１２）を生成し送信する。信号（１４０８、１４１０、１４１２）は、第２のトラフィック間隔に対応する要求応答間隔の間送信される。ワイヤレス通信デバイスＣ８０６は、そのマルチキャストグループのメンバーからの、信号１３１４に対応する要求応答信号を監視しており、信号（１４０８、１４１０、１４１２）を検出する。ワイヤレスデバイスＣ８０６は、ブロック１４１４によって示されたように、トラフィック間隔２内で意図されたマルチキャストデータ送信を続行することがＯＫであると決定する。
【００６８】
図１５の図１５００では、ワイヤレス通信デバイスＣ８０６は、第２のトラフィック間隔内でマルチキャストトラフィックデータ信号１５０２を送信する。信号１５０２は、そのマルチキャストの他のメンバー（デバイスＡ８０２、デバイスＢ８０４、デバイスＤ８０８）によって受信され復元される。
【００６９】
図１６〜図１９は第３のトラフィック間隔に対応する。ワイヤレス通信デバイスＡ８０２は、ボックス１６０２によって示されたように、トラフィック間隔３の間マルチキャストグループ内で優先度＝３を有し、ワイヤレス通信デバイスＢ８０４は、ボックス１６０４によって示されたように、トラフィック間隔３の間マルチキャストグループ内で優先度＝４を有し、ワイヤレス通信デバイスＣ８０６は、ボックス１６０６によって示されたように、トラフィック間隔３の間マルチキャストグループ内で優先度＝１を有し、ワイヤレス通信デバイスＤ８０８は、ボックス１６０８によって示されたように、トラフィック間隔３の間マルチキャストグループ内で優先度＝２を有する。ワイヤレス通信デバイスＡ８０２は、ボックス１６１０によって示されたように、トラフィック間隔３内で送信したいマルチキャストデータを有していない。ワイヤレス通信デバイスＢ８０４は、ボックス１６１２によって示されたように、トラフィック間隔３内で送信したいマルチキャストデータを有していない。ワイヤレス通信デバイスＣ８０６は、ボックス１６１４によって示されたように、トラフィック間隔３内で送信したいマルチキャストデータを有していない。ワイヤレス通信デバイスＤ８０８は、ボックス１６１６によって示されたように、トラフィック間隔３内で送信したいマルチキャストデータを有する。
【００７０】
トラフィック間隔３の間送信するつもりではないマルチキャストグループのデバイス（デバイスＡ８０２、デバイスＢ８０４、デバイスＣ８０６）は、それぞれ、第３のトラフィック間隔中マルチキャストトラフィックデータを送信しない意図または意思を示す信号（１６１８、１６２０、１６２２）を生成し送信する。信号（１６１８、１６２０、１６２２）は、第３のトラフィック間隔に対応する第１のトラフィック送信要求期間の間送信される。ワイヤレスデバイスＤ８０８は、第３のトラフィック間隔中送信しない意図または意思を示すマルチキャストグループの他のメンバーからの信号を監視しており、信号１６１８と、信号１６２０と、信号１６２２を受信する。ワイヤレスデバイスＤ８０８は、ワイヤレス通信デバイスＡ８０２が送信しない意図または意思を示したことを受信信号１６１８から判断する。ワイヤレスデバイスＤ８０８は、ワイヤレス通信デバイスＢ８０４が送信しない意図または意思を示したことを受信信号１６２０から判断する。ワイヤレスデバイスＤ８０８は、ワイヤレス通信デバイスＣ８０６が送信しない意図または意思を示したことを受信信号１６２２から判断する。ワイヤレスデバイスＤ８０８は、デバイスＡ８０２、デバイスＢ８０４およびデバイスＣ８０６が第３のトラフィック間隔の間送信しない意図または意思を示したことを示す情報１６２４を記憶する。
【００７１】
図１７の図１７００では、ワイヤレスデバイスＤ８０８は、ブロック１７０２によって示されたように、そのマルチキャストグループ内の他のデバイスが第３のトラフィック間隔中マルチキャストデータを送信するつもりでないことを、情報１６２４およびグループメンバーリスト８２２から判断する。ワイヤレスデバイスＤ８０８は、ブロック１７０４によって示されたように、ブロック１７０２の判断に基づいて、トラフィック間隔３内で送信することを決定する。
【００７２】
ワイヤレスデバイスＤ８０８は、第３のトラフィック間隔に対応する第２のトラフィック送信要求期間の間信号１７０６を送信する。第３のトラフィック間隔中マルチキャストデータを送信する意図または意思を示す信号１７０６は、ワイヤレスデバイス（デバイスＡ８０２、デバイスＢ８０４、デバイスＣ８０６）によって受信される。
【００７３】
図１８の図１８００では、ワイヤレスデバイス（デバイスＡ８０２、デバイスＢ８０４、デバイスＣ８０６）は、ブロック（１８０２、１８０４、１８０６）によって示されたように、デバイスＤ８０８からの意図されたマルチキャストデータ送信を続行することがＯＫであると決定する。たとえば、デバイス（８０２、８０４、８０６）は、送信が続行した場合、送信信号を復元できる、たとえばそれらの予想ＳＩＮＲが許容可能であると推定している。デバイス（８０２、８０４、８０６）は、それぞれ、送信要求信号１７０６に対応する送信要求応答信号（１８０８、１８１０、１８１２）を生成し送信する。信号（１８０８、１８１０、１８１２）は、第２のトラフィック間隔に対応する要求応答間隔の間送信される。ワイヤレス通信デバイスＣ８０６は、そのマルチキャストグループのメンバーからの、信号１７０６に対応する要求応答信号を監視しており、信号（１８０８、１８１０、１８１２）を検出する。ワイヤレスデバイスＤ８０８は、ブロック１８１４によって示されたように、トラフィック間隔３内で意図されたマルチキャストデータ送信を続行することがＯＫであると決定する。
【００７４】
図１９の図１９００では、ワイヤレス通信デバイスＤ８０８は、第３のトラフィック間隔内でマルチキャストトラフィックデータ信号１９０２を送信する。信号１９０２は、そのマルチキャストの他のメンバー（デバイスＡ８０２、デバイスＢ８０４、デバイスＣ８０６）によって受信され復元される。
【００７５】
図２０は第４のトラフィック間隔に対応する。図２０の図２０００では、ワイヤレス通信デバイスＡ８０２は、第４のトラフィック間隔内でピアツーピアユニキャスト接続８１４を介してワイヤレス通信デバイスＥ８１０に送信したいユニキャストデータを有する。ワイヤレス通信デバイスＡ８０２は、第４のトラフィック間隔中デバイスＥ８１０にユニキャストデータを送信する意図または意思を示す第１のユニキャストインジケータ信号２００４を生成する。生成された第１のユニキャストインジケータ信号は、第４のトラフィック間隔に対応する第１のトラフィック送信要求間隔の間送信される。高優先度ユニキャスト接続は、第１のトラフィック送信要求間隔内で送信するためにリソースを割り当てられる。信号２００４はデバイスＥ８１０によって受信される。ワイヤレス通信デバイスＡ８０２は、第４のトラフィック間隔中デバイスＥ８１０にユニキャストデータを送信する意図または意思を示す第２のユニキャストインジケータ信号２００６を生成する。生成された第１のユニキャストインジケータ信号は、第４のトラフィック間隔に対応する第２のトラフィック送信要求間隔の間送信される。信号２００６はデバイスＥ８１０によって受信される。デバイスＥ８１０が受信側譲歩を実行しないと決定した、たとえばデバイスＥ８１０がデバイスＡ８０２からの意図されたユニキャスト送信を続行することを望むと考察されたい。ワイヤレスデバイスＥ８１０は、要求応答信号２００８を生成し、第４のトラフィック間隔に対応する送信要求応答間隔の間デバイスＡ８０２に要求応答信号２００８を送信する。ワイヤレスデバイスＡ８０２は、信号２００８を受信し、意図された送信を続行することを決定する。ワイヤレスデバイスＡ８０２は、第４のトラフィック間隔中ユニキャストピアツーピアトラフィック信号２０１０を生成し、ワイヤレスデバイスＥ８１０に送信する。ワイヤレスデバイスＥ８１０は、ユニキャストピアツーピアトラフィック信号２０１０を受信し復元する。
【００７６】
図２１は、いくつかの実施形態で使用される例示的な繰返しタイミング／周波数構造の図２１００である。例示的なタイミング周波数構造２１００は、たとえば図３のデバイス３００または図６のデバイス６００に実装される。図２１００は、周波数、たとえばＯＦＤＭトーンを表す垂直軸２１０２と、時間、たとえばＯＦＤＭシンボル送信時間期間を表す水平軸２１０４とを含む。例示的な繰返しタイミング周波数構造は、ピア発見リソース２１０６と、マルチキャストグループ識別情報および／またはピアツーピア接続識別子のブロードキャストリソース２１０８と、マルチキャストグループ確立および／またはピアツーピア接続確立のリソース２１１０と、スケジューリングリソースと対応するトラフィックリソースとの複数のセット（（第１のトラフィック間隔２１１５の間のマルチキャストグループおよび／またはピアツーピアのトラフィックシグナリングスケジューリングリソース２１１２、マルチキャストグループおよび／またはユニキャストピアツーピアのトラフィックシグナリングデータリソース２１１４）、．．．．、（第Ｎのトラフィック間隔の間のマルチキャストグループおよび／またはピアツーピアのトラフィックシグナリングスケジューリングリソース２１１６、マルチキャストグループおよび／またはユニキャストピアツーピアのトラフィックシグナリングデータリソース２１１８））とを含む。ピア発見リソース２１０６は、ピア発見信号、たとえばワイヤレスデバイスの存在を告知する信号を搬送する。マルチキャストグループ識別情報および／またはピアツーピア接続識別子のブロードキャストリソース２１０８は、マルチキャストグループの存在と、マルチキャストグループメンバーの存在と、マルチキャストメンバーによって使用されているリソース、たとえばスケジューリングリソースを示す情報と、マルチキャストグループの順序付けを示す情報と、ピアツーピア接続を示す情報と、ピアツーピア接続によって使用されているリソース、たとえばスケジューリングリソースを示す情報とを示すブロードキャスト信号を伝達する。
【００７７】
各マルチキャストグループおよび／またはピアツーピアのトラフィックシグナリングスケジューリングリソースは、要求リソースの第１のセットと、要求リソースの第２のセットと、要求応答用リソースのセットとを含む。たとえば、トラフィックシグナリングスケジューリングリソース２１１２は、第１のトラフィック間隔に対応する第１のトラフィック送信要求リソース２１２０と、第１のトラフィック間隔に対応する第２のトラフィック送信要求リソース２１２２と、第１のトラフィック間隔に対応するトラフィック送信要求応答リソース２１２４とを含む。第１のトラフィック送信要求リソース２１２０は第１のトラフィック送信要求期間２１２１の間に発生し、第２のトラフィック送信要求リソース２１２２は第２のトラフィック送信要求期間２１２３の間に発生し、トラフィック送信要求応答リソース２１２４はトラフィック送信要求応答期間２１２５の間に発生する。
【００７８】
図２２は、例示的なトラフィックシグナリングスケジューリングリソース（２２０４、２２０６、２２０８）と、対応する第１のトラフィック間隔データリソース（２２０８）と、例示的な実施形態に従って伝達される例示的な信号とを示す図２２００を含む。図２２の例は、図８〜図１１のマルチキャストスケジューリングおよびマルチキャストトラフィックデータシグナリングの例に対応することができる。
【００７９】
第１のトラフィック間隔に対応する第１のトラフィック送信要求リソース２２０２は、複数のＯＦＤＭトーンシンボルを含む。第１のトラフィック送信要求リソース２２０２内のＯＦＤＭトーンシンボル（２２１０、２２１２、２２１４、２２１６）は、それぞれ、マルチキャストグループメンバー（Ａ、Ｂ、Ｃ、Ｄ）に関連付けられる。ブロック２２０２内のＯＦＤＭシンボルの位置に関連付けられた優先度順序が存在する。ＯＦＤＭトーンシンボル２２１２は、第１のトラフィックデータ間隔データリソース２２０８内でマルチキャストデータを送信しない意図または意思を示すデバイスＢから送信された信号８４０を搬送する。ＯＦＤＭトーンシンボル２２１６は、第１のトラフィックデータ間隔データリソース２２０８内でマルチキャストデータを送信しない意図または意思を示すデバイスＤから送信された信号８４２を搬送する。
【００８０】
第１のトラフィック間隔に対応する第２のトラフィック送信要求リソース２２０４は、複数のＯＦＤＭトーンシンボルを含む。第２のトラフィック送信要求リソース２２０４内のＯＦＤＭトーンシンボル（２２１８、２２２０、２２２２、２２２４）は、それぞれ、マルチキャストグループメンバー（Ａ、Ｂ、Ｃ、Ｄ）に関連付けられる。ＯＦＤＭトーンシンボル２２１８は、第１のトラフィックデータ間隔データリソース２２０８内でマルチキャストデータを送信する意図または意思を示すデバイスＡから送信された信号９１４を搬送する。
【００８１】
第１のトラフィック間隔に対応するトラフィック送信要求応答リソース２２０６は、複数のＯＦＤＭトーンシンボルを含む。トラフィック送信要求応答リソース２２０６内のＯＦＤＭトーンシンボル（２２２６、２２２８、２２３０、２２３２）は、それぞれ、マルチキャストグループメンバー（Ａ、Ｂ、Ｃ、Ｄ）に関連付けられる。ＯＦＤＭトーンシンボル２２２８は、要求信号９１４への肯定応答を示すデバイスＢから送信された要求応答信号１００８を搬送する。ＯＦＤＭトーンシンボル２３３０は、要求信号９１４への肯定応答を示すデバイスＣから送信された要求応答信号１０１０を搬送する。ＯＦＤＭトーンシンボル２２３２は、要求信号９１４への肯定応答を示すデバイスＤから送信された要求応答信号１０１２を搬送する。
【００８２】
第１のトラフィック間隔データリソース２２０８、たとえばトラフィックセグメントは、デバイスＡから送信されたマルチキャストトラフィック信号１１０２を搬送する。マルチキャスト信号１１０２は、マルチキャストグループの他のメンバー（デバイスＢ、デバイスＣおよびデバイスＤ）によって受信され復元される。
【００８３】
図２３は、例示的なトラフィックシグナリングスケジューリングリソース（２３０２、２３０４、２３０６）と、対応する第２のトラフィック間隔データリソース（２３０８）と、例示的な実施形態に従って伝達される例示的な信号とを示す図２３００を含む。図２３の例は、図１２〜図１５のマルチキャストスケジューリングおよびマルチキャストトラフィックデータシグナリングの例に対応することができる。
【００８４】
第２のトラフィック間隔に対応する第１のトラフィック送信要求リソース２３０２は、複数のＯＦＤＭトーンシンボルを含む。第１のトラフィック送信要求リソース２３０２内のＯＦＤＭトーンシンボル（２３１０、２３１２、２３１４、２３１６）は、それぞれ、マルチキャストグループメンバー（Ｂ、Ｃ、Ｄ、Ａ）に関連付けられる。ブロック２３０２内のＯＦＤＭシンボルの位置に関連付けられた優先度順序が存在する。ＯＦＤＭトーンシンボル２３１０は、第２のトラフィックデータ間隔データリソース２３０８内でマルチキャストデータを送信しない意図または意思を示すデバイスＢから送信された信号１２２２を搬送する。ＯＦＤＭトーンシンボル２３１４は、第２のトラフィックデータ間隔データリソース２３０８内でマルチキャストデータを送信しない意図または意思を示すデバイスＤから送信された信号１２２４を搬送する。
【００８５】
第２のトラフィック間隔に対応する第２のトラフィック送信要求リソース２３０４は、複数のＯＦＤＭトーンシンボルを含む。第２のトラフィック送信要求リソース２３０４内のＯＦＤＭトーンシンボル（２３１８、２３２０、２３２２、２３２４）は、それぞれ、マルチキャストグループメンバー（Ｂ、Ｃ、Ｄ、Ａ）に関連付けられる。ＯＦＤＭトーンシンボル２３２０は、第２のトラフィック間隔データリソース２３０８内でマルチキャストデータを送信する意図または意思を示すデバイスＣから送信された信号１３１４を搬送する。
【００８６】
第２のトラフィック間隔に対応するトラフィック送信要求応答リソース２３０６は、複数のＯＦＤＭトーンシンボルを含む。トラフィック送信要求応答リソース２３０６内のＯＦＤＭトーンシンボル（２３２６、２３２８、２３３０、２３３２）は、それぞれ、マルチキャストグループメンバー（Ｂ、Ｃ、Ｄ、Ａ）に関連付けられる。ＯＦＤＭトーンシンボル２３３２は、要求信号１３１４への肯定応答を示すデバイスＡから送信された要求応答信号１４０８を搬送する。ＯＦＤＭトーンシンボル２３２６は、要求信号１３１４への肯定応答を示すデバイスＢから送信された要求応答信号１４１０を搬送する。ＯＦＤＭトーンシンボル２３３０は、要求信号１３１４への肯定応答を示すデバイスＤから送信された要求応答信号１４１２を搬送する。
【００８７】
第２のトラフィック間隔データリソース２３０８、たとえばトラフィックセグメントは、デバイスＣから送信されたマルチキャストトラフィック信号１５０２を搬送する。マルチキャスト信号１５０２は、マルチキャストグループの他のメンバー（デバイスＡ、デバイスＢおよびデバイスＤ）によって受信され復元される。
【００８８】
図２４は、例示的なトラフィックシグナリングスケジューリングリソース（２４０２、２４０４、２４０６）と、対応する第３のトラフィック間隔データリソース（２４０８）と、例示的な実施形態に従って伝達される例示的な信号とを示す図２４００を含む。図２４の例は、図１６〜図１９のマルチキャストスケジューリングおよびマルチキャストトラフィックデータシグナリングの例に対応することができる。
【００８９】
第３のトラフィック間隔に対応する第１のトラフィック送信要求リソース２４０２は、複数のＯＦＤＭトーンシンボルを含む。第１のトラフィック送信要求リソース２４０２内のＯＦＤＭトーンシンボル（２４１０、２４１２、２４１４、２４１６）は、それぞれ、マルチキャストグループメンバー（Ｃ、Ｄ、Ａ、Ｂ）に関連付けられる。ブロック２４０２内のＯＦＤＭシンボルの位置に関連付けられた優先度順序が存在する。ＯＦＤＭトーンシンボル２４１４は、第３のトラフィック間隔データリソース２４０８内でマルチキャストデータを送信しない意図または意思を示すデバイスＡから送信された信号１６１８を搬送する。ＯＦＤＭトーンシンボル２４１６は、第３のトラフィックデータ間隔データリソース２４０８内でマルチキャストデータを送信しない意図または意思を示すデバイスＢから送信された信号１６２０を搬送する。ＯＦＤＭトーンシンボル２４１０は、第３のトラフィックデータ間隔データリソース２４０８内でマルチキャストデータを送信しない意図または意思を示すデバイスＣから送信された信号１６２２を搬送する。
【００９０】
第３のトラフィック間隔に対応する第２のトラフィック送信要求リソース２４０４は、複数のＯＦＤＭトーンシンボルを含む。第２のトラフィック送信要求リソース２４０４内のＯＦＤＭトーンシンボル（２４１８、２４２０、２４２２、２４２４）は、それぞれ、マルチキャストグループメンバー（Ｃ、Ｄ、Ａ、Ｂ）に関連付けられる。ＯＦＤＭトーンシンボル２４２０は、第３のトラフィックデータ間隔データリソース２４０８内でマルチキャストデータを送信する意図または意思を示すデバイスＤから送信された信号１７０６を搬送する。
【００９１】
第３のトラフィック間隔に対応するトラフィック送信要求応答リソース２４０６は、複数のＯＦＤＭトーンシンボルを含む。トラフィック送信要求応答リソース２４０６内のＯＦＤＭトーンシンボル（２４２６、２４２８、２４３０、２４３２）は、それぞれ、マルチキャストグループメンバー（Ｃ、Ｄ、Ａ、Ｂ）に関連付けられる。ＯＦＤＭトーンシンボル２４３０は、要求信号１７０６への肯定応答を示すデバイスＡから送信された要求応答信号１８０８を搬送する。ＯＦＤＭトーンシンボル２４３２は、要求信号１７０６への肯定応答を示すデバイスＢから送信された要求応答信号１８１０を搬送する。ＯＦＤＭトーンシンボル２４２６は、要求信号１７０６への肯定応答を示すデバイスＣから送信された要求応答信号１８１２を搬送する。
【００９２】
第３のトラフィック間隔データリソース２４０８、たとえばトラフィックセグメントは、デバイスＤから送信されたマルチキャストトラフィック信号１９０２を搬送する。マルチキャスト信号１９０２は、マルチキャストグループの他のメンバー（デバイスＡ、デバイスＢおよびデバイスＣ）によって受信され復元される。
【００９３】
図２５は、例示的なトラフィックシグナリングスケジューリングリソース（２５０２、２５０４、２５０６）と、対応する第４のトラフィック間隔データリソース（２５０８）と、例示的な実施形態に従って伝達される例示的な信号とを示す図２５００を含む。図２５の例は、図２０の接続スケジューリングおよびユニキャストピアツーピアトラフィックデータシグナリングの例に対応することができる。
【００９４】
第４のトラフィック間隔に対応する第１のトラフィック送信要求リソース２５０２は、複数のＯＦＤＭトーンシンボルを含む。第１のトラフィック送信要求リソース２５０２内のＯＦＤＭトーンシンボル２５１０は、デバイスＡとデバイスＥとの間のピアツーピア接続８１４に対応する。ブロック２５０２内のＯＦＤＭシンボルの位置に関連付けられた優先度順序が存在する。ＯＦＤＭトーンシンボル２５１０は、第４のトラフィックデータリソース２５０８内でユニキャストピアツーピアトラフィックデータをデバイスＥに送信する意図または意思を示すデバイスＡから送信された信号２００４を搬送する。
【００９５】
第４のトラフィック間隔に対応する第２のトラフィック送信要求リソース２５０４は、複数のＯＦＤＭトーンシンボルを含む。ＯＦＤＭトーンシンボル２５１２は、第４のトラフィックデータリソース２５０８内でユニキャストピアツーピアトラフィックデータをデバイスＥに送信する意図または意思を示すデバイスＡから送信された信号２００６を搬送する。
【００９６】
第４のトラフィック間隔に対応するトラフィック送信要求応答リソース２５０６は、複数のＯＦＤＭトーンシンボルを含む。トラフィック送信要求応答リソース２５０６内のＯＦＤＭトーンシンボル２５１４は、デバイスＡとデバイスＥとの間のピアツーピア接続８１４に対応する。ＯＦＤＭトーンシンボル２５１４は、要求信号２００６への肯定応答を示すデバイスＥから送信された要求応答信号２００８を搬送する。
【００９７】
第４のトラフィック間隔データリソース２５０８、たとえばトラフィックセグメントは、デバイスＡからデバイスＥに送信されたユニキャストピアツーピアトラフィック信号２０１０を搬送する。ユニキャストトラフィックデータ信号２０１０は、デバイスＥによって受信され復元される。
【００９８】
必ずしもすべてではないが、いくつかの実施形態の様々な態様および／または特徴が以下に記載される。リンクを有するアドホックネットワークが、たとえばピアツーピアシグナリングプロトコルを使用して通信したいデバイスのペアを含むことを考察されたい。ユニキャスト送信のトラフィックスケジューリングの一部として、いくつかの実施形態では、送信することを求めるデバイスは、その送信する意図または要望を信号通知し、送信する意図または意思を示す信号への返信が受信されたか否かに基づいて、かつ送信する意図または意思を示す他のデバイスからの信号に基づいて、送信決定を行う。
【００９９】
１つの例示的なシステム、たとえばＯＦＤＭを使用するピアツーピアワイヤレスシステムでは、システムは時間をトラフィックスロット、たとえば等しいサイズのトラフィックスロットに分割する。各トラフィックスロットの開始は、接続スケジューリングとして知られる媒体アクセス競合フェーズを含む。接続スケジューリングに成功したリンクは、トラフィックスロットの残りで通信する。
【０１００】
いくつかの実施形態では、接続スケジューリングは、第１の送信要求ブロックと、第２の送信要求ブロックと、要求応答ブロックとを含む。これらのブロックは、エアリンクリソース、たとえば周波数、たとえばトーン対時間、たとえばＯＦＤＭシンボル送信時間のブロックである。いくつかのそのような実施形態では、ブロックはＯＦＤＭトーンシンボルのブロックである。いくつかの実施形態では、３つのブロックは等しいサイズである。１つのそのような実施形態では、第１の送信要求ブロックはＴｘ＿Ｐブロックと呼ばれ、第２の送信要求ブロックはＴｘブロックと呼ばれ、要求応答ブロックはＲｘブロックと呼ばれる。図２６の図２６００は、そのような例を示す。接続スケジューリングのエアリンクリソース２６０２は、第１の送信要求ブロック２６１２、たとえばＴｘＰブロックと、第２の送信要求ブロック２６１４、たとえばＴｘブロックと、要求応答ブロック２６１６、たとえばＲｘブロックとを含む。接続スケジューリング内の各競合リンクは、ブロック（２６１２、２６１４、２６１６）の各々の中の１つのトーン上で送信することができる。たとえば図２６の図２６０４では、ピアツーピアワイヤレスリンク２６１０を形成する例示的なモバイルワイヤレスデバイス（デバイスＡ’２６０６およびデバイスＢ’２６０８）は、ＯＦＤＭトーンシンボル２６１８、２６２０、２６２２の中で送信することができる。リンクがその上で送信できるトーンの位置は、リンクに関連付けられた優先度を示す。
【０１０１】
ＴｘＰブロックは、トラフィックスロット中のリンク用の送信側と受信側とを決定するために使用される。トラフィックスロットでは、リンクの１つのデバイスが送信優先度を有し、そのデバイスが送信するデータを有する場合、ＴｘＰに送信してリンク内の他のデバイスにその送信する意図または意思を示す。ＴｘＰ内に送信がない場合、リンク内の他のデバイスは、バックログデータを有すると仮定すると、送信側になることができる。図２６では、デバイスＡ’２６０６が送信優先度を有すると仮定し、デバイスＡ’２６０６はトーンシンボル２６１８上でＴｘＰブロック２６１２内に送信し、送信側になりたいことをデバイスＢ’２６０８に知らせる。Ｔｘブロックでは、各リンクの現在決定されている送信側が、それらのリンクのトーン上で送信する。このことが図２６で示され、ここでデバイスＡ’２６０６は再びトーンシンボル２６２０上でＴｘブロック２６１４内に送信する。このことにより、リンクの受信側が、それら自体の送信側からの受信電力と他のリンクから経験する可能性がある干渉とを知ることが可能になる。受信側がより高い優先度のリンクから過剰な干渉を経験しようとしていると感じた場合、受信側はこれ以上接続スケジューリングに参加しないことを決定することができる。これは受信譲歩として知られる。受信側が受信を譲歩しない場合、受信側はリンクに関連付けられたトーン上のＲｘブロック内でその送信側に返信する。たとえば、デバイスＢ’２６０８は、図２６のＲｘブロック２６１６内のトーンシンボル２６２２上に送信する。デバイスＢのＲｘブロック返信の電力は、送信側Ａからの受信電力に反比例する。送信側はＲｘブロック内でリッスンし、様々なトーン上の受信電力を使用してより高い優先度のリンクに著しい干渉をもたらすか否かを推定する。もたらされる干渉が過剰である、たとえば所定の許容可能なしきい値レベルよりも上である場合、送信側は送信を譲歩し、トラフィックフレーム上で受信側と通信しない。接続スケジューリングの最後でバックログデータを有し、送信または受信のいずれも譲歩していないリンクは、トラフィックスロット内で通信することができる。
【０１０２】
上述の接続プロトコルは、いくつかの実施形態によれば、２つのデバイス、たとえばデバイスＡ’２６０６とデバイスＢ’２６０８の間のユニキャスト通信に使用される。様々な実施形態では、ユニキャストピアツーピアシグナリングに加えて、マルチキャストが接続スケジューリングフレームワークで使用可能である。
【０１０３】
様々な実施形態によれば、マルチキャストの状況では、マルチキャストグループのデバイスは、送信するつもりがない場合送信しない意図または意思を信号通知する。最も高い優先度を有し、送信しない意図または意思を示す信号を送信しなかったマルチキャストグループのメンバーは、通信リソースを使用して送信する。したがって、様々な態様によれば、マルチキャスト送信スケジューリングは、送信しない意図または意思を肯定的に示すデバイスと、次いでデバイスの相対的な優先度に基づいて、どれが送信すべきかに関する決定を行う残りのデバイスとによって実装される。
【０１０４】
マルチキャストは、そのうちの１つが送信側であり、残りが受信側であるデバイスのグループを含む。図２７では、モバイルワイヤレスデバイスである、デバイスＣ’２７０６、デバイスＤ’２７０８、デバイスＥ’２７１０およびデバイスＦ’２７１２がマルチキャストグループ２７０４を形成する。いくつかの実施形態では、マルチキャストを使用可能にすることの一部として、デバイスごとに１つのトーンが接続スケジューリングに割り当てられ、たとえば、マルチキャストグループ内の各デバイスは３つのブロックの各々の中の１つのトーンシンボルを割り当てられる。これが図２７の例に示される。図２７は、第１の送信要求ブロック２７１４、たとえばＴｘＰブロックと、第２の送信要求ブロック２７１６、たとえばＴｘブロックと、要求応答ブロック２７１８、たとえばＲｘブロックとを含む、例示的なスケジューリングのエアリンクリソース２７０２を示す。マルチキャストグループ２７０４は、デバイスＣ’２７０６と、デバイスＤ’２７０８と、デバイスＥ’２７１０と、デバイスＦ’２７１２とを含む。デバイスＤ’２７０８は、対角線クロスハッチ陰影で示された３つのトーンシンボルを割り当てられる。デバイスＣ’２７０６は、垂直および水平のクロスハッチ陰影で示された３つのトーンシンボルを割り当てられる。デバイスＥ’２７１０は、左から右に下降する線を有する対角線陰影で示された３つのトーンシンボルを割り当てられる。デバイスＦ’２７１２は、左から右に上昇する線を有する対角線陰影で示された３つのトーンシンボルを割り当てられる。
【０１０５】
マルチキャストグループ内の各デバイスは、接続スケジューリング内の３つのブロックの各々の中のトーンを割り当てられる。所与のトラフィックフレームで、グループ内の各デバイスは、グループ内の送信優先度を有する。デバイスのトーンの位置がグループ内のデバイスの送信優先度を示す。図２７では、デバイスＤ’２７０８が最も高い優先度を有し、その後にデバイスＣ’２７０６、デバイスＥ’２７１０およびデバイスＦ’２７１２が続く。マルチキャストトラフィックを有する最も高い優先度のデバイスが送信側になり、残りが受信側になるはずである。第１の要求ブロックであるＴｘＰブロックでは、グループ内の各デバイスが、トラフィックフレーム内で送信するよりもむしろ受信する用意がある場合、それらのトーン上で送信する。送信したいデバイスは、これらの送信をリッスンし、トラフィックスロットの間グループ内でどのデバイスが送信側になりたいか、どのデバイスが受信側になりたいかを認識することができる。加えて、デバイスに関連付けられたトーンの位置を使用して、各潜在的な送信側デバイスは、それ自体がグループ内の潜在的な送信側の中で最も高い優先度を有するか否かを判定することができる。図２７では、トラフィックスロット内で、デバイスＣ’２７０６およびデバイスＥ’２７１０は送信側になりたいが、デバイスＤ’２７０８およびデバイスＦ’２７１２はマルチキャストトラフィックデータを送信したくないと考察されたい。デバイスＤ’２７０８およびデバイスＦ’２７１２は、ＴｘＰブロック２７１４内で送信し、トラフィックを送信しないそれらの意図または意思を示す。送信を監視していたデバイスＥ’２７１０は、最も高い送信優先度を有していないことを認識する。デバイスが最も高い送信優先度を有する場合、デバイスはグループの送信側になり、それ自体のトーン上でＴｘブロック２７１６内に送信する。本例では、デバイスＣ’２７０６がグループの送信側になり、Ｔｘブロック２７１６内のそのトーン上で送信する。グループ内の残りのデバイス（デバイスＤ’２７０８、デバイスＥ’２７１０およびデバイスＦ’２７１２）は、Ｔｘブロック２７１６内のグループの送信側をリッスンし、受信を譲歩するか否かについて決定を行う。ピアツーピア接続とともに上述されたケースでは、受信譲歩はより高い優先度のリンクからの干渉受信側に基づく。グループ内の残りのデバイスが受信を譲歩しない場合、グループ内の残りのデバイスは、それら自体のトーン上のＲｘブロック２７１８内で送信側に返信する。本例では、デバイスＤ’２７０８、デバイスＥ’２７１０およびデバイスＦ’２７１２が受信側譲歩せず、Ｒｘブロック２７１８内でデバイスＣ’に返信すると考察されたい。いくつかの実施形態では、Ｒｘブロック２７１８返信の電力倍率は、グループ内の送信側からの受信電力に反比例して倍率変化する。Ｒｘブロック内で受信された返信に基づいて、送信側、たとえばデバイスＣ’２７０６は、送信を譲歩するか否かを決定することができる。
【０１０６】
様々な記載された方法および装置は、ピアツーピア接続スケジューリングとマルチキャストスケジューリングの両方をサポートするワイヤレス通信システムに好適である。様々な実施形態では、マルチキャストリンクとユニキャストリンクの両方が調和して共存することができ、共存する。いくつかの実施形態では、ピアツーピア接続およびマルチキャストグループは、たとえば、トラフィックリソース内で送信するか否かを決定するとき、同じ接続スケジューリングリソースブロックを使用することがき、時々使用する。ブロックの様々な部分をユニキャストとマルチキャストとに割り当てることができる。いくつかの実施形態では、たとえば、特定の位置および特定の時刻でのワイヤレス通信ネットワークの需要に応答して、様々な時刻に、スケジューリングリソースの様々な割合を、ピアツーピアユニキャストスケジューリングとマルチキャストスケジューリングとに割り当てることができる。たとえば、いくつかの実施形態では、ピアツーピア接続およびマルチキャストグループは、たとえば、ピアツーピア接続の確立およびマルチキャストグループの確立の一部として、利用可能なトラフィックスケジューリングリソースの中から、それら自体のトラフィックスケジューリングリソースを動的に自分で割り当てる。ある時刻に、トラフィックスケジューリングリソースの特定のセット、たとえば、第１の要求リソースブロック、第２の要求リソースブロックおよび要求応答リソースブロックの各々の中に１つのトーンシンボルを含む３つのＯＦＤＭトーンシンボルは、ピアツーピア接続に割り当てることができ、異なる時刻に、そのトラフィックスケジューリングリソースのセットは、マルチキャストグループシグナリング用にマルチキャストグループのメンバーに割り当てることができる。割り当てられたリソースの使用法および伝達された信号のタイプは、リソースがピアツーピア接続に割り当てられたか、またはマルチキャストグループメンバーに割り当てられたかに依存する。
【０１０７】
様々な実施形態では、たとえば優先度情報および／または干渉推定情報に従って、たとえば同時スケジューリングが許容できるとスケジューリングが判断し、たとえば送信側譲歩決定および受信側譲歩決定が送信の続行を可能にした場合、第１のワイヤレスデバイスは、第１のトラフィックセグメントを使用してそのマルチキャストグループのメンバーにマルチキャストトラフィックデータを送信している可能性があり、第２のワイヤレスデバイスは、同じ第１のトラフィックセグメントを使用して第３のワイヤレスデバイスにユニキャストトラフィックデータを送信している可能性がある。
【０１０８】
様々な実施形態では、第１のトラフィック送信要求ブロック、たとえばＴｘＰブロックの間、そのペアの送信要求信号送信に関係するユニキャストリンクの一部であるか、または第１のトラフィック送信要求ブロックの間それ自体を欠いているデバイスは、動作することができ、送信しない意図または意思を示す第１の送信要求ブロックの他のリソース上のマルチキャストスケジューリングシグナリングの包含によって悪影響を受けない。ピアツーピア接続デバイスは、第１のトラフィック送信要求ブロック内でそれら自体の割り当てられたリソースを見つけ、ピアツーピアユニキャストトラフィックスケジューリングプロトコルに従ってシグナリングを解釈する。マルチキャストグループメンバーデバイスは、第１のトラフィック送信要求ブロック内でそれら自体の割り当てられたリソースを見つけ、マルチキャストトラフィックスケジューリングプロトコルに従ってシグナリングを解釈する。第２のトラフィック送信要求ブロック、たとえばＴｘブロックでは、トラフィックを送信するつもりであるピアツーピア接続を有するデバイスと、トラフィックを送信するつもりであるマルチキャストグループのデバイスの両方が、トラフィック送信要求信号を送信する。トラフィック送信要求応答ブロックでは、意図された受信側、たとえば意図されたユニキャストトラフィックの受信側および意図されたマルチキャストトラフィックの受信側は、受信側譲歩を実行しないことを決定したとき要求応答信号を送信する。ユニキャストとマルチキャストの両方の意図された送信側は、受信された要求応答信号を使用して送信側譲歩の決定を行うことができ、いくつかの実施形態では送信側譲歩の決定を行う。
【０１０９】
本出願に記載された様々な方法および装置は、ピアツーピアシグナリングをサポートするワイヤレス通信のデバイスおよびネットワークでの使用に好適である。様々な実施形態では、図１〜図２７の１つまたは複数のデバイスのうちのいずれかのデバイスは、本出願の図のうちのいずれかに関して記載された、かつ／または本出願の発明を実施するための形態に記載された、個々のステップおよび／または動作のうちの各々に対応するモジュールを含む。モジュールは、ハードウェアに実装することができ、時々ハードウェアに実装される。他の実施形態では、モジュールは、ワイヤレス通信デバイスのプロセッサによって実行されたとき、対応するステップまたは動作をデバイスに実施させるプロセッサ実行可能命令を含むソフトウェアモジュールとして実装することができ、時々そのソフトウェアモジュールとして実装される。さらに他の実施形態では、モジュールの一部または全部は、ハードウェアとソフトウェアの組合せとして実装される。
【０１１０】
様々な実施形態の技法は、ソフトウェア、ハードウェア、および／またはソフトウェアとハードウェアの組合せを使用して実装することができる。様々な実施形態は、装置、たとえばモバイルワイヤレス通信デバイス、たとえばモバイル端末などのモバイルノード、基地局などのアクセスポイントなどの固定ワイヤレス通信デバイス、ネットワークノード、および／または通信システムを対象とする。様々な実施形態はまた、方法、たとえば、モバイルノードおよび／もしくは固定ノードなどのワイヤレス通信デバイス、基地局などのアクセスポイント、ネットワークノード、ならびに／または通信システム、たとえばホストを制御および／または動作させる方法を対象とする。様々な実施形態はまた、方法の１つまたは複数のステップを実施するように機械を制御するための機械可読命令を含む、機械、たとえばコンピュータ、可読媒体、たとえばＲＯＭ、ＲＡＭ、ＣＤ、ハードディスクなどを対象とする。コンピュータ可読媒体は、たとえば、非一時的コンピュータ可読媒体である。
【０１１１】
開示されたプロセスにおけるステップの特定の順序または階層は、例示的な手法の一例であることを理解されたい。設計の選好に基づいて、プロセス内のステップの特定の順序または階層は、本開示の範囲内に留まりながら再構成できることを理解されたい。添付の方法クレームは、様々なステップの要素を例示的な順序で提示したものであり、提示された特定の順序または階層に限定されるものではない。
【０１１２】
様々な実施形態では、本明細書に記載されたノードは、１つまたは複数の方法に対応するステップ、たとえば、信号受信ステップ、信号処理ステップ、信号生成ステップおよび／または信号送信ステップを実行する１つまたは複数のモジュールを使用して実装される。したがって、いくつかの実施形態では、様々な機能がモジュールを使用して実装される。そのようなモジュールは、ソフトウェア、ハードウェアまたはソフトウェアとハードウェアの組合せを使用して実装することができる。上述の方法または方法ステップの多くは、たとえば１つまたは複数のノードにおいて、上述の方法の全部または一部を実施するために、追加のハードウェアの有無にかかわらず、機械、たとえば汎用コンピュータを制御する、メモリデバイス、たとえばＲＡＭ、フロッピー（登録商標）ディスクなどの機械可読媒体内に含まれる、ソフトウェアなどの機械実行可能命令を使用して実施することができる。したがって、特に、様々な実施形態は、機械、たとえばプロセッサおよび関連するハードウェアに、上述の方法のステップのうちの１つまたは複数を実行させるための機械実行可能命令を含む機械可読媒体、たとえば非一時的コンピュータ可読媒体を対象とする。いくつかの実施形態は、本発明の１つまたは複数の方法のステップのうちの１つ、複数、またはすべてを実施するように構成されたプロセッサを含む、ピアツーピアシグナリングをサポートするデバイス、たとえばワイヤレス通信デバイスを対象とする。
【０１１３】
いくつかの実施形態では、１つまたは複数のデバイス、たとえばワイヤレス端末、アクセスノードおよび／またはネットワークノードなどの通信ノードの１つまたは複数のプロセッサ、たとえばＣＰＵは、通信ノードによって実行されるものとして記載された方法のステップを実行するように構成される。プロセッサの構成は、１つまたは複数のモジュール、たとえばソフトウェアモジュールを使用して、プロセッサ構成を制御することによって、ならびに／またはハードウェア、たとえばハードウェアモジュールをプロセッサに含めて、列挙されたステップを実行し、かつ／もしくはプロセッサ構成を制御することによって実現することができる。したがって、すべてではないが、いくつかの実施形態は、プロセッサが含まれるデバイスによって実行される様々な記載された方法のステップの各々に対応するモジュールを含むプロセッサを有するデバイス、たとえば通信ノードを対象とする。すべてではないが、いくつかの実施形態では、デバイス、たとえば通信ノードは、プロセッサが含まれるデバイスによって実行される様々な記載された方法のステップの各々に対応するモジュールを含む。モジュールは、ソフトウェアおよび／またはハードウェアを使用して実装することができる。
【０１１４】
いくつかの実施形態は、１つのコンピュータまたは複数のコンピュータに、様々な機能、ステップ、行為、および／または動作、たとえば上述の１つまたは複数のステップを実施させるためのコードを備えるコンピュータ可読媒体、たとえば非一時的コンピュータ可読媒体を備えるコンピュータプログラム製品を対象とする。実施形態に応じて、コンピュータプログラム製品は、実行されるべきステップごとに異なるコードを含むことができ、時々含む。したがって、コンピュータプログラム製品は、方法、たとえば通信デバイスまたは通信ノードを制御する方法の個々のステップごとにコードを含むことができ、時々含む。コードは、ＲＡＭ（ランダムアクセスメモリ）、ＲＯＭ（読取り専用メモリ）、または他のタイプの記憶デバイスなどのコンピュータ可読媒体、たとえば非一時的コンピュータ可読媒体に記憶される、機械実行可能命令、たとえばコンピュータ実行可能命令の形態である場合がある。コンピュータプログラム製品を対象とすることに加えて、いくつかの実施形態は、上述の１つまたは複数の方法の様々な機能、ステップ、行為および／または動作のうちの１つまたは複数を実施するように構成されたプロセッサを対象とする。したがって、いくつかの実施形態は、本明細書に記載された方法のステップの一部または全部を実施するように構成されたプロセッサ、たとえばＣＰＵを対象とする。プロセッサは、たとえば、本出願に記載された通信デバイスまたは他のデバイス内で使用することができる。
【０１１５】
様々な実施形態は、ピアツーピアシグナリングプロトコルを使用する通信システムに好適である。いくつかの実施形態は、直交周波数分割多重化（ＯＦＤＭ）ベースのワイヤレスピアツーピアシグナリングプロトコル、たとえばＷｉＦｉシグナリングプロトコルまたは別のＯＦＤＭベースのプロトコルを使用する。
【０１１６】
ＯＦＤＭシステムの文脈で記載されたが、様々な実施形態の方法および装置のうちの少なくともいくつかは、多くの非ＯＦＤＭシステムおよび／または非セルラーシステムを含む広範囲の通信システムに適用可能である。
【０１１７】
上記の説明に鑑みて、上述の様々な実施形態の方法および装置に関する多数の追加の変形形態が、当業者には明らかであろう。そのような変形形態は範囲内に入ると考えられるべきである。本方法および本装置は、符号分割多元接続（ＣＤＭＡ）、ＯＦＤＭ、および／または通信デバイス間のワイヤレス通信リンクを提供するために使用できる様々な他のタイプの通信技法で使用することができ、様々な実施形態では使用される。いくつかの実施形態では、１つまたは複数の通信デバイスは、ＯＦＤＭおよび／もしくはＣＤＭＡを使用してモバイルノードとの通信リンクを確立し、かつ／または有線もしくはワイヤレスの通信リンクを介してインターネットもしくは別のネットワークへの接続性を提供できるアクセスポイントとして実装される。様々な実施形態では、モバイルノードは、本方法を実施するための、受信機／送信機回路ならびに論理および／またはルーチンを含む、ノートブックコンピュータ、携帯情報端末（ＰＤＡ）、または他のポータブルデバイスとして実装される。
以下に、本願出願の当初の特許請求の範囲に記載された発明を付記する。
[Ｃ１]
マルチキャストグループのメンバーであるワイヤレスデバイスを動作させる方法であって、
第１のトラフィック間隔中送信しない意図を示すマルチキャストグループの他のメンバーからの信号を監視することと、
送信しない意図を示す信号がそこから受信されなかった前記マルチキャストグループの他のメンバーに対する前記ワイヤレスデバイスの優先度レベルに基づいて、前記第１のトラフィック間隔に関する送信決定を行うこととを備える、方法。
[Ｃ２]
送信決定を行うことが、
前記監視が送信しない意図を示す信号を検出しなかった前記マルチキャストグループ内のデバイスの前記優先度レベルよりも、前記ワイヤレスデバイスの前記優先度レベルが高い場合、送信する決定を行うことを含む、Ｃ１に記載の方法。
[Ｃ３]
送信決定を行うことが、
前記監視が送信しない意図を示す信号を検出しなかった前記マルチキャストグループ内の別のデバイスの前記優先度レベルよりも、前記ワイヤレスデバイスの前記優先度レベルが低い場合、送信しない決定を行うことを含む、Ｃ１に記載の方法。
[Ｃ４]
前記ワイヤレスデバイスが第２のトラフィック間隔中前記マルチキャストグループに送信するデータを有していない場合、前記第２のトラフィック間隔内で送信しない意図を示す信号を送信することをさらに備える、Ｃ１に記載の方法。
[Ｃ５]
前記ワイヤレスデバイスによって受信されたグループメンバーシップ情報に基づいて、グループメンバーのリストを保守することと、
トラフィック間隔の間、送信しない意図を示す信号がそこから受信された前記グループの前記メンバーを示す情報を記憶することとをさらに備える、Ｃ４に記載の方法。
[Ｃ６]
前記ワイヤレスデバイスが送信するユニキャストトラフィックを有する場合、送信する意図を示すユニキャストインジケータ信号を送信することをさらに備える、Ｃ４に記載の方法。
[Ｃ７]
マルチキャストグループのメンバーであるワイヤレスデバイスであって、
第１のトラフィック間隔中送信しない意図を示すマルチキャストグループの他のメンバーからの信号を監視するための手段と、
送信しない意図を示す信号がそこから受信されなかった前記マルチキャストグループの他のメンバーに対する前記ワイヤレスデバイスの優先度レベルに基づいて、前記第１のトラフィック間隔に関する送信決定を行うための手段とを備える、ワイヤレスデバイス。
[Ｃ８]
送信決定を行うための前記手段が、
前記監視が送信しない意図を示す信号を検出しなかった前記マルチキャストグループ内のデバイスの前記優先度レベルよりも、前記ワイヤレスデバイスの前記優先度レベルが高い場合、送信する決定を行うための手段を含む、Ｃ７に記載のワイヤレスデバイス。
[Ｃ９]
送信決定を行うための手段が、
前記監視が送信しない意図を示す信号を検出しなかった前記マルチキャストグループ内の別のデバイスの前記優先度レベルよりも、前記ワイヤレスデバイスの前記優先度レベルが低い場合、送信しない決定を行うための手段を含む、Ｃ７に記載のワイヤレスデバイス。
[Ｃ１０]
前記ワイヤレスデバイスが第２のトラフィック間隔中前記マルチキャストグループに送信するデータを有していない場合、前記第２のトラフィック間隔内で送信しない意図を示す信号を送信するための手段をさらに備える、Ｃ７に記載のワイヤレスデバイス。
[Ｃ１１]
前記ワイヤレスデバイスによって受信されたグループメンバーシップ情報信号に基づいて、グループメンバーのリストを保守するための手段と、
トラフィック間隔の間、送信しない意図を示す信号がそこから受信された前記グループの前記メンバーを示す情報を記憶するための手段とをさらに備える、Ｃ１０に記載のワイヤレスデバイス。
[Ｃ１２]
前記ワイヤレスデバイスが送信するユニキャストトラフィックを有する場合、送信する意図を示すユニキャストインジケータ信号を送信するための手段をさらに備える、Ｃ１０に記載のワイヤレスデバイス。
[Ｃ１３]
マルチキャストグループのメンバーであるワイヤレスデバイス内で使用するためのコンピュータプログラム製品であって、
少なくとも１つのコンピュータに、第１のトラフィック間隔中送信しない意図を示すマルチキャストグループの他のメンバーからの信号を監視させるためのコードと、
前記少なくとも１つのプロセッサに、送信しない意図を示す信号がそこから受信されなかった前記マルチキャストグループの他のメンバーに対する前記ワイヤレスデバイスの優先度レベルに基づいて、前記第１のトラフィック間隔に関する送信決定を行わせるためのコードと
を備える非一時的コンピュータ可読媒体を備える、コンピュータプログラム製品。
[Ｃ１４]
前記非一時的コンピュータ可読媒体が、
前記少なくとも１つのプロセッサに送信決定を行わせるための前記コードの一部として、前記少なくとも１つのプロセッサに、前記監視が送信しない意図を示す信号を検出しなかった前記マルチキャストグループ内のデバイスの前記優先度レベルよりも、前記ワイヤレスデバイスの前記優先度レベルが高い場合、送信する決定を行わせるためのコードを備える、Ｃ１３に記載のコンピュータプログラム製品。
[Ｃ１５]
マルチキャストグループのメンバーであるワイヤレスデバイスであって、
第１のトラフィック間隔中送信しない意図を示すマルチキャストグループの他のメンバーからの信号を監視することと、
送信しない意図を示す信号がそこから受信されなかった前記マルチキャストグループの他のメンバーに対する前記ワイヤレスデバイスの優先度レベルに基づいて、前記第１のトラフィック間隔に関する送信決定を行うことと
を行うように構成された少なくとも１つのプロセッサと、
前記少なくとも１つのプロセッサに結合されたメモリとを備える、ワイヤレスデバイス。
[Ｃ１６]
前記少なくとも１つのプロセッサが、送信決定を行うように構成されたことの一部として、前記監視が送信しない意図を示す信号を検出しなかった前記マルチキャストグループ内のデバイスの前記優先度レベルよりも、前記ワイヤレスデバイスの前記優先度レベルが高い場合、送信する決定を行うように構成された、Ｃ１５に記載のワイヤレスデバイス。
[Ｃ１７]
前記少なくとも１つのプロセッサが、送信決定を行うように構成されたことの一部として、前記監視が送信しない意図を示す信号を検出しなかった前記マルチキャストグループ内の別のデバイスの前記優先度レベルよりも、前記ワイヤレスデバイスの前記優先度レベルが低い場合、送信しない決定を行うように構成された、Ｃ１５に記載のワイヤレスデバイス。
[Ｃ１８]
前記少なくとも１つのプロセッサが、前記ワイヤレスデバイスが第２のトラフィック間隔中前記マルチキャストグループに送信するデータを有していない場合、前記第２のトラフィック間隔内で送信しない意図を示す信号を送信するようにさらに構成された、Ｃ１５に記載のワイヤレスデバイス。
[Ｃ１９]
前記少なくとも１つのプロセッサが、
前記ワイヤレスデバイスによって受信されたグループメンバーシップ情報信号に基づいて、グループメンバーのリストを保守することと、
トラフィック間隔の間、送信しない意図を示す信号がそこから受信された前記グループの前記メンバーを示す情報を記憶することとを行うようにさらに構成された、Ｃ１８に記載のワイヤレスデバイス。
[Ｃ２０]
前記少なくとも１つのプロセッサが、
前記ワイヤレスデバイスが送信するユニキャストトラフィックを有する場合、送信する意図を示すユニキャストインジケータ信号を送信するようにさらに構成された、Ｃ１８に記載のワイヤレスデバイス。
【図１】
0005788596.tif 000002
【図２】
0005788596.tif 000003
【図３】
0005788596.tif 000004
【図４】
0005788596.tif 000005
【図５】
0005788596.tif 000006
【図５Ａ】
0005788596.tif 000007
【図５Ｂ】
0005788596.tif 000008
【図５Ｃ】
0005788596.tif 000009
【図５Ｄ】
0005788596.tif 000010
【図６】
0005788596.tif 000011
【図７】
0005788596.tif 000012
【図７Ａ】
0005788596.tif 000013
【図７Ｂ】
0005788596.tif 000014
【図７Ｃ】
0005788596.tif 000015
【図８】
0005788596.tif 000016
【図９】
0005788596.tif 000017
【図１０】
0005788596.tif 000018
【図１１】
0005788596.tif 000019
【図１２】
0005788596.tif 000020
【図１３】
0005788596.tif 000021
【図１４】
0005788596.tif 000022
【図１５】
0005788596.tif 000023
【図１６】
0005788596.tif 000024
【図１７】
0005788596.tif 000025
【図１８】
0005788596.tif 000026
【図１９】
0005788596.tif 000027
【図２０】
0005788596.tif 000028
【図２１】
0005788596.tif 000029
【図２２】
0005788596.tif 000030
【図２３】
0005788596.tif 000031
【図２４】
0005788596.tif 000032
【図２５】
0005788596.tif 000033
【図２６】
0005788596.tif 000034
【図２７】
0005788596.tif 000035